(57)【特許請求の範囲】
【請求項１】
受信ノードによるワイヤレス通信のための方法であって、
各それぞれの送信ノードに関連するリンクを使用して１つまたは複数の送信ノードからネットワークレイヤにおいてプロトコルデータユニット（ＰＤＵ）を受信することと、
前記受信されたＰＤＵのシーケンス番号に少なくとも部分的に基づいて１つまたは複数の消失したＰＤＵを検出することと、
前記１つまたは複数の消失したＰＤＵの前記検出に基づいてタイマーを開始することと、
前記タイマーの満了の前に前記１つまたは複数の消失したＰＤＵを受信することなく、前記タイマーの満了に応答して、前記１つまたは複数の消失したＰＤＵが受信されたことを下位ネットワークレイヤに通知することとを備える、方法。
【請求項２】
前記下位ネットワークレイヤに通知することが、前記下位ネットワークレイヤに前記１つまたは複数の消失したＰＤＵの受信を肯定応答することを備える、請求項１に記載の方法。
【請求項３】
前記下位ネットワークレイヤに通知することは、前記送信ノードが、前記１つまたは複数の消失したＰＤＵに対応する下位ネットワークレイヤＰＤＵを送信するのを防ぐために、下位ネットワークレイヤステータスメッセージを前記送信ノードに送信することを備える、請求項１に記載の方法。
【請求項４】
前記下位ネットワークレイヤに通知することが、複数の下位ネットワークレイヤに通知することを備え、ここにおいて、前記複数の下位ネットワークレイヤの各々が、各それぞれの送信ノードに関連する前記リンクに対応する、請求項１に記載の方法。
【請求項５】
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、請求項１に記載の方法。
【請求項６】
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、請求項１に記載の方法。
【請求項７】
前記１つまたは複数の送信ノードに、各それぞれの送信ノードに関連する各リンクからデータを受信する前記ネットワークレイヤにおいて形成されたステータスメッセージを送信することをさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、請求項１に記載の方法。
【請求項８】
受信ノードによるワイヤレス通信のための装置であって、
トランシーバと、
メモリと、
前記トランシーバおよび前記メモリに通信可能に結合された少なくとも１つのプロセッサとを備え、ここにおいて、前記少なくとも１つのプロセッサが、
各それぞれの送信ノードに関連するリンクを使用して１つまたは複数の送信ノードからネットワークレイヤにおいてプロトコルデータユニット（ＰＤＵ）を受信することと、
前記受信されたＰＤＵのシーケンス番号に少なくとも部分的に基づいて１つまたは複数の消失したＰＤＵを検出することと、
前記１つまたは複数の消失したＰＤＵの前記検出に基づいてタイマーを開始することと、
前記タイマーの満了の前に前記１つまたは複数の消失したＰＤＵを受信することなく、前記タイマーの満了に応答して、前記１つまたは複数の消失したＰＤＵが受信されたことを下位ネットワークレイヤに通知することとを行うように構成された、装置。
【請求項９】
前記少なくとも１つのプロセッサが、少なくとも部分的に、前記下位ネットワークレイヤに前記１つまたは複数の消失したＰＤＵの受信を肯定応答することによって、前記下位ネットワークレイヤに通知するように構成された、請求項８に記載の装置。
【請求項１０】
前記少なくとも１つのプロセッサは、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知するように構成された、請求項８に記載の装置。
【請求項１１】
前記少なくとも１つのプロセッサが、少なくとも部分的に、複数の下位ネットワークレイヤに通知することによって、前記下位ネットワークレイヤに通知するように構成され、ここにおいて、前記複数の下位ネットワークレイヤの各々が、各それぞれの送信ノードに関連する前記リンクに対応する、請求項８に記載の装置。
【請求項１２】
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、請求項８に記載の装置。
【請求項１３】
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、請求項８に記載の装置。
【請求項１４】
前記少なくとも１つのプロセッサが、前記１つまたは複数の送信ノードに、各それぞれの送信ノードに関連する各リンクからデータを受信する前記ネットワークレイヤにおいて形成されたステータスメッセージを送信するようにさらに構成され、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、請求項８に記載の装置。
【請求項１５】
前記トランシーバに結合され、前記送信ノードに１つまたは複数のワイヤレス信号を送信すること、または前記送信ノードから１つまたは複数のワイヤレス信号を受信することのうちの少なくとも１つを行うように構成された１つまたは複数のアンテナをさらに備える、請求項８に記載の装置。
【請求項１６】
ユーザ機器（ＵＥ）によるワイヤレス通信のための装置であって、
各それぞれの送信ノードに関連するリンクを使用して１つまたは複数の送信ノードからネットワークレイヤにおいてプロトコルデータユニット（ＰＤＵ）を受信するための手段と、
前記受信されたＰＤＵのシーケンス番号に少なくとも部分的に基づいて１つまたは複数の消失したＰＤＵを検出するための手段と、
前記１つまたは複数の消失したＰＤＵの前記検出に基づいてタイマーを開始するための手段と、
前記タイマーの満了の前に前記１つまたは複数の消失したＰＤＵを受信することなく、前記タイマーの満了に応答して、前記１つまたは複数の消失したＰＤＵが受信されたことを下位ネットワークレイヤに通知するための手段とを備える、装置。
【請求項１７】
通知するための前記手段が、少なくとも部分的に、前記下位ネットワークレイヤに前記１つまたは複数の消失したＰＤＵの受信を肯定応答することによって、前記下位ネットワークレイヤに通知する、請求項１６に記載の装置。
【請求項１８】
通知するための前記手段は、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知する、請求項１６に記載の装置。
【請求項１９】
通知するための前記手段が、少なくとも部分的に、複数の下位ネットワークレイヤに通知することによって、前記下位ネットワークレイヤに通知し、ここにおいて、前記複数の下位ネットワークレイヤの各々が、各それぞれの送信ノードに関連する前記リンクに対応する、請求項１６に記載の装置。
【請求項２０】
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、請求項１６に記載の装置。
【請求項２１】
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、請求項１６に記載の装置。
【請求項２２】
前記１つまたは複数の送信ノードに、各それぞれの送信ノードに関連する各リンクからデータを受信する前記ネットワークレイヤにおいて形成されたステータスメッセージを送信するための手段をさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、請求項１６に記載の装置。
【請求項２３】
受信するための前記手段が、トランシーバに結合され、前記送信ノードに１つまたは複数のワイヤレス信号を送信すること、または前記送信ノードから１つまたは複数のワイヤレス信号を受信することのうちの少なくとも１つを行うように構成された１つまたは複数のアンテナを備える、請求項１６に記載の装置。
【請求項２４】
ユーザ機器（ＵＥ）によるワイヤレス通信のためのコンピュータ実行可能コードを記憶するコンピュータ可読媒体であって、前記コードが、
各それぞれの送信ノードに関連するリンクを使用して１つまたは複数の送信ノードからネットワークレイヤにおいてプロトコルデータユニット（ＰＤＵ）を受信するためのコードと、
前記受信されたＰＤＵのシーケンス番号に少なくとも部分的に基づいて１つまたは複数の消失したＰＤＵを検出するためのコードと、
前記１つまたは複数の消失したＰＤＵの前記検出に基づいてタイマーを開始するためのコードと、
前記タイマーの満了の前に前記１つまたは複数の消失したＰＤＵを受信することなく、前記タイマーの満了に応答して、前記１つまたは複数の消失したＰＤＵが受信されたことを下位ネットワークレイヤに通知するためのコードとを備える、コンピュータ可読媒体。
【請求項２５】
通知するための前記コードが、少なくとも部分的に、前記下位ネットワークレイヤに前記１つまたは複数の消失したＰＤＵの受信を肯定応答することによって、前記下位ネットワークレイヤに通知する、請求項２４に記載のコンピュータ可読媒体。
【請求項２６】
通知するための前記コードは、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知する、請求項２４に記載のコンピュータ可読媒体。
【請求項２７】
通知するための前記コードが、少なくとも部分的に、複数の下位ネットワークレイヤに通知することによって、前記下位ネットワークレイヤに通知し、ここにおいて、前記複数の下位ネットワークレイヤの各々が、各それぞれの送信ノードに関連する前記リンクに対応する、請求項２４に記載のコンピュータ可読媒体。
【請求項２８】
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、請求項２４に記載のコンピュータ可読媒体。
【請求項２９】
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、請求項２４に記載のコンピュータ可読媒体。
【請求項３０】
前記１つまたは複数の送信ノードに、各それぞれの送信ノードに関連する各リンクからデータを受信する前記ネットワークレイヤにおいて形成されたステータスメッセージを送信するためのコードをさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、請求項２４に記載のコンピュータ可読媒体。
【発明の詳細な説明】
【技術分野】
【０００１】
関連出願の相互参照
[0001]本特許出願は、本出願の譲受人に譲渡され、すべての目的のためにその全体が参照により本明細書に明確に組み込まれる、２０１６年７月２９日に出願された「AVOIDING UNNECESSARY PROTOCOL DATA UNIT (PDU) TRANSMISSIONS」と題する非仮出願第１５／２２４，２７２号、および２０１５年８月３１日に出願された「AVOIDING UNNECESSARY PACKET DATA CONVERGENCE PROTOCOL (PDCP) PROTOCOL DATA UNIT (PDU) TRANSMISSIONS」と題する仮出願第６２／２１２，３０１号の優先権を主張する。
【０００２】
[0002]本開示の態様は、一般にワイヤレス通信システムに関し、より詳細には、たとえば、並べ替えタイマー（reorder timer）が満了することに基づいて、不要なプロトコルデータユニット（ＰＤＵ）送信を回避することに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]ワイヤレス通信ネットワークは、いくつかのユーザ機器（ＵＥ）のための通信をサポートすることができるいくつかのｅノードＢ（ｅＮＢ）を含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００６】
[0006]たとえば、ＬＴＥにおいて、ＵＥは、複数のｅノードＢおよび／または関係するセルとのデュアル接続性（または多重接続性）、１つまたは複数のｅノードＢおよび１つまたは複数の他のタイプのアクセスポイント（たとえば、ＷｉＦｉ（登録商標）ホットスポット）とのトラフィックアグリゲーション（たとえば、無線アクセスネットワーク（ＲＡＮ）アグリゲーションまたは他のネットワークレベルアグリゲーション）を使用して、複数のｅノードＢまたは他のアクセスポイントとの接続をアグリゲートすることができる。ＵＥは、１つまたは複数のネットワークレイヤにおける接続を介してプロトコルデータユニット（ＰＤＵ）を受信することができ、シーケンス番号に基づいてＰＤＵを順序付けることができる。ＰＤＣＰタイマーは、ＰＤＵが受信されないことがある場合を管理するために初期化され得る。ＰＤＵを受信することなしの、ＰＤＣＰタイマーの決定された満了に基づいて、（たとえば、下位ネットワークレイヤにおいて）ＰＤＵのために受信されたすべてのサービスデータユニット（ＳＤＵ）は、ネットワークレイヤにフラッシュされる（flushed）（たとえば、ネットワークレイヤに与えられ、下位ネットワークレイヤメモリから削除される）。しかしながら、いくつかの場合には、消失したＳＤＵは、ＵＥがネットワークレイヤにおいてＰＤＵを受信することを断念しており、その後受信されたとき／場合に下位ネットワークレイヤにおいて受信されたＳＤＵを廃棄する（discards）にもかかわらず、依然としてＵＥに送信され得る。
【発明の概要】
【０００７】
[0007]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]一態様では、ワイヤレス通信のための方法が提供される。本方法は、各それぞれの送信ノードに関連するリンクを使用して１つまたは複数の送信ノードからネットワークレイヤにおいてプロトコルデータユニット（ＰＤＵ）を受信することと、受信されたＰＤＵのシーケンス番号に少なくとも部分的に基づいて１つまたは複数の消失したＰＤＵを検出することと、１つまたは複数の消失したＰＤＵの検出に基づいてタイマーを開始することとを含み得る。本方法はまた、タイマーの満了に応答して、およびタイマーの満了の前に１つまたは複数の消失したＰＤＵを受信することなしに、１つまたは複数の消失したＰＤＵが受信されたことを下位ネットワークレイヤに通知することを含み得る。
【０００９】
[0009]本方法は、ここで、下位ネットワークレイヤに通知することが、下位ネットワークレイヤに１つまたは複数の消失したＰＤＵの受信を肯定応答することを備える、を含み得る。本方法はまた、ここで、下位ネットワークレイヤに通知することは、送信ノードが、１つまたは複数の消失したＰＤＵに対応する下位ネットワークレイヤＰＤＵを送信するのを防ぐために、下位ネットワークレイヤステータスメッセージを送信ノードに送信することを備える、を含み得る。本方法はまた、ここで、下位ネットワークレイヤに通知することが、複数の下位ネットワークレイヤに通知することを備え、ここにおいて、複数の下位ネットワークレイヤの各々が、各それぞれの送信ノードに関連するリンクに対応する、を含み得る。さらに、本方法は、ここで、１つまたは複数の消失したＰＤＵが、ＰＤＣＰ  ＰＤＵであり、ここにおいて、下位ネットワークレイヤが、無線リンク制御（ＲＬＣ）レイヤである、を含み得る。本方法はまた、ここで、１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、下位ネットワークレイヤが、ＰＤＣＰレイヤまたはＲＬＣレイヤである、を含み得る。さらに、本方法は、１つまたは複数の送信ノードに、各それぞれの送信ノードに関連する各リンクからデータを受信するネットワークレイヤにおいて形成されたステータスメッセージを送信することを含み得、ここで、ステータスメッセージが、第１の消失したシーケンス（ＦＭＳ）の指示を含み、ここで、ＦＭＳが、１つまたは複数の送信ノードによる１つまたは複数の消失したＰＤＵの送信を防ぐために選択される。
【００１０】
[0010]一態様では、ユーザ機器（ＵＥ）によるワイヤレス通信のための装置が提供される。本装置は、トランシーバと、メモリと、トランシーバおよびメモリに通信可能に結合された少なくとも１つのプロセッサとを含む。少なくとも１つのプロセッサは、各それぞれの送信ノードに関連するリンクを使用して１つまたは複数の送信ノードからネットワークレイヤにおいてＰＤＵを受信することと、受信されたＰＤＵのシーケンス番号に少なくとも部分的に基づいて１つまたは複数の消失したＰＤＵを検出することと、１つまたは複数の消失したＰＤＵの検出に基づいてタイマーを開始することとを行うように構成される。少なくとも１つのプロセッサは、タイマーの満了に応答して、およびタイマーの満了の前に１つまたは複数の消失したＰＤＵを受信することなしに、１つまたは複数の消失したＰＤＵが受信されたことを下位ネットワークレイヤに通知するようにさらに構成される。
【００１１】
[0011]本装置は、ここで、少なくとも１つのプロセッサが、少なくとも部分的に、下位ネットワークレイヤに１つまたは複数の消失したＰＤＵの受信を肯定応答することによって、下位ネットワークレイヤに通知するように構成される、を含み得る。本装置はまた、ここで、少なくとも１つのプロセッサが、少なくとも部分的に、送信ノードが１つまたは複数の消失したＰＤＵに対応する下位ネットワークレイヤＰＤＵを送信するのを防ぐために、下位ネットワークレイヤステータスメッセージを送信ノードに送信することによって、下位ネットワークレイヤに通知するように構成される、を含み得る。さらに、本装置は、ここで、少なくとも１つのプロセッサが、少なくとも部分的に、複数の下位ネットワークレイヤに通知することによって、下位ネットワークレイヤに通知するように構成され、ここで、複数の下位ネットワークレイヤの各々が、各それぞれの送信ノードに関連するリンクに対応する、を含み得る。本装置は、ここで、１つまたは複数の消失したＰＤＵが、ＰＤＣＰ  ＰＤＵであり、ここにおいて、下位ネットワークレイヤが、ＲＬＣレイヤである、を追加として含み得る。また、本装置は、ここで、１つまたは複数の消失したＰＤＵが、ＴＣＰ、インターネットプロトコルＩＰ、ＴＣＰ／ＩＰ、またはＵＤＰ  ＰＤＵであり、ここで、下位ネットワークレイヤが、ＰＤＣＰレイヤまたはＲＬＣレイヤである、を含み得る。本装置は、ここで、少なくとも１つのプロセッサが、１つまたは複数の送信ノードに、各それぞれの送信ノードに関連する各リンクからデータを受信するネットワークレイヤにおいて形成されたステータスメッセージを送信するようにさらに構成され、ここで、ステータスメッセージが、ＦＭＳの指示を含み、ここで、ＦＭＳが、１つまたは複数の送信ノードによる１つまたは複数の消失したＰＤＵの送信を防ぐために選択される、をさらに含み得る。追加として、本装置は、トランシーバに結合され、送信ノードに１つまたは複数のワイヤレス信号を送信すること、または送信ノードから１つまたは複数のワイヤレス信号を受信することのうちの少なくとも１つを行うように構成された１つまたは複数のアンテナを含み得る。
【００１２】
[0012]一態様では、ＵＥによるワイヤレス通信のための装置が提供される。本装置は、各それぞれの送信ノードに関連するリンクを使用して１つまたは複数の送信ノードからネットワークレイヤにおいてＰＤＵを受信するための手段と、受信されたＰＤＵのシーケンス番号に少なくとも部分的に基づいて１つまたは複数の消失したＰＤＵを検出するための手段と、１つまたは複数の消失したＰＤＵの検出に基づいてタイマーを開始するための手段とを含む。本装置はまた、タイマーの満了に応答して、およびタイマーの満了の前に１つまたは複数の消失したＰＤＵを受信することなしに、１つまたは複数の消失したＰＤＵが受信されたことを下位ネットワークレイヤに通知するための手段を含む。
【００１３】
[0013]本装置は、ここで、通知するための手段が、少なくとも部分的に、下位ネットワークレイヤに１つまたは複数の消失したＰＤＵの受信を肯定応答することによって、下位ネットワークレイヤに通知する、を含み得る。本装置はまた、ここで、通知するための手段が、少なくとも部分的に、送信ノードが１つまたは複数の消失したＰＤＵに対応する下位ネットワークレイヤＰＤＵを送信するのを防ぐために、下位ネットワークレイヤステータスメッセージを送信ノードに送信することによって、下位ネットワークレイヤに通知する、を含み得る。さらに、本装置は、ここで、通知するための手段が、少なくとも部分的に、複数の下位ネットワークレイヤに通知することによって、下位ネットワークレイヤに通知し（notifies to）、ここで、複数の下位ネットワークレイヤの各々が、各それぞれの送信ノードに関連するリンクに対応する、を含み得る。本装置はまた、ここで、１つまたは複数の消失したＰＤＵが、ＰＤＣＰ  ＰＤＵであり、ここにおいて、下位ネットワークレイヤが、ＲＬＣレイヤである、を含み得る。本装置はまた、ここで、１つまたは複数の消失したＰＤＵが、ＴＣＰ、ＩＰ、ＴＣＰ／ＩＰ、またはＵＤＰ  ＰＤＵであり、ここにおいて、下位ネットワークレイヤが、ＰＤＣＰレイヤまたはＲＬＣレイヤである、を含み得る。本装置はまた、１つまたは複数の送信ノードに、各それぞれの送信ノードに関連する各リンクからデータを受信するネットワークレイヤにおいて形成されたステータスメッセージを送信するための手段を含み得、ここにおいて、ステータスメッセージが、ＦＭＳの指示を含み、ここにおいて、ＦＭＳが、１つまたは複数の送信ノードによる１つまたは複数の消失したＰＤＵの送信を防ぐために選択される。また、本装置は、ここで、受信するための手段が、トランシーバに結合され、送信ノードに１つまたは複数のワイヤレス信号を送信すること、または送信ノードから１つまたは複数のワイヤレス信号を受信することのうちの少なくとも１つを行うように構成された１つまたは複数のアンテナを備える、を含み得る。
【００１４】
[0014]一態様では、ＵＥによるワイヤレス通信のためのコンピュータ実行可能コードを記憶するコンピュータ可読媒体が提供される。コードは、各それぞれの送信ノードに関連するリンクを使用して１つまたは複数の送信ノードからネットワークレイヤにおいてＰＤＵを受信するためのコードと、受信されたＰＤＵのシーケンス番号に少なくとも部分的に基づいて１つまたは複数の消失したＰＤＵを検出するためのコードと、１つまたは複数の消失したＰＤＵの検出に基づいてタイマーを開始するためのコードと、タイマーの満了に応答して、およびタイマーの満了の前に１つまたは複数の消失したＰＤＵを受信することなしに、１つまたは複数の消失したＰＤＵが受信されたことを下位ネットワークレイヤに通知するためのコードとを含む。
【００１５】
[0015]本コンピュータ可読媒体は、ここで、通知するためのコードが、少なくとも部分的に、下位ネットワークレイヤに１つまたは複数の消失したＰＤＵの受信を肯定応答することによって、下位ネットワークレイヤに通知する、を含み得る。本コンピュータ可読媒体はまた、ここで、通知するためのコードが、少なくとも部分的に、送信ノードが１つまたは複数の消失したＰＤＵに対応する下位ネットワークレイヤＰＤＵを送信するのを防ぐために、下位ネットワークレイヤステータスメッセージを送信ノードに送信することによって、下位ネットワークレイヤに通知する、を含み得る。本コンピュータ可読媒体はまた、ここで、通知するためのコードが、少なくとも部分的に、複数の下位ネットワークレイヤに通知することによって、下位ネットワークレイヤに通知し、ここで、複数の下位ネットワークレイヤの各々が、各それぞれの送信ノードに関連するリンクに対応する、を含み得る。本コンピュータ可読媒体は、ここで、１つまたは複数の消失したＰＤＵが、ＰＤＣＰ  ＰＤＵであり、ここにおいて、下位ネットワークレイヤが、ＲＬＣレイヤである、をさらに含み得る。本コンピュータ可読媒体は、ここで、１つまたは複数の消失したＰＤＵが、ＴＣＰ、ＩＰ、ＴＣＰ／ＩＰ、またはＵＤＰ  ＰＤＵであり、ここにおいて、下位ネットワークレイヤが、ＰＤＣＰレイヤまたはＲＬＣレイヤである、を追加として含み得る。本コンピュータ可読媒体はまた、１つまたは複数の送信ノードに、各それぞれの送信ノードに関連する各リンクからデータを受信するネットワークレイヤにおいて形成されたステータスメッセージを送信するためのコードを含み得、ここで、ステータスメッセージが、ＦＭＳの指示を含み、ここで、ＦＭＳが、１つまたは複数の送信ノードによる１つまたは複数の消失したＰＤＵの送信を防ぐために選択される。
【００１６】
[0016]別の例では、ＵＥによるワイヤレス通信のための方法が提供される。本方法は、各それぞれのｅＮＢに関連するリンクを使用して１つまたは複数のｅＮＢからＰＤＣＰ  ＰＤＵを受信することと、受信されたＰＤＣＰ  ＰＤＵのシーケンス番号に少なくとも部分的に基づいて１つまたは複数の消失したＰＤＣＰ  ＰＤＵを検出することと、１つまたは複数の消失したＰＤＣＰ  ＰＤＵの検出に基づいてタイマーを開始することと、タイマーの満了に応答して、タイマーの満了の前に１つまたは複数の消失したＰＤＣＰ  ＰＤＵを受信することなしに、１つまたは複数のｅＮＢによる１つまたは複数の消失したＰＤＣＰ  ＰＤＵの送信を防ぐ１つまたは複数のアクションをとることとを含む。
【００１７】
[0017]本方法はまた、ここで、１つまたは複数のアクションをとることが、１つまたは複数のｅＮＢに、１つまたは複数のｅＮＢによる１つまたは複数の消失したＰＤＣＰ  ＰＤＵの送信を防ぐために選択された第１の消失したシーケンスの指示をもつステータスメッセージを送信することを備える、を含み得る。本方法は、ここで、第１の消失したシーケンスの指示が、最も高いシーケンス番号を有するＰＤＣＰ  ＰＤＵのシーケンス番号の指示を備える、を追加として含み得る。追加として、本方法は、ここで、１つまたは複数のアクションをとることが、１つまたは複数のｅＮＢによる１つまたは複数の消失したＰＤＣＰ  ＰＤＵの送信を防ぐために選択されたシーケンス番号を有するＰＤＣＰ  ＰＤＵの受信を肯定応答するステータスメッセージを生成することを備える、を含み得る。本方法はまた、ここで、ステータスメッセージが、受信されたいかなるＰＤＣＰ  ＰＤＵのシーケンス番号よりも高いシーケンス番号を有するＰＤＣＰ  ＰＤＵの受信を肯定応答する、を含み得る。その上、本方法は、ここで、ステータスメッセージを生成することが、受信されたＰＤＣＰ  ＰＤＵのシーケンス番号を決定するために、ＲＬＣレイヤにおいてペイロード検査を実行することを備える、を含み得る。また、本方法は、受信状態変数を調整することと、受信されたＰＤＵのシーケンス番号を決定するために、後に、ＲＬＣにおいてペイロード検査を実行することとを含み得る。
【００１８】
[0018]別の例では、ＵＥによるワイヤレス通信のための装置が提供される。本装置は、各それぞれのｅＮＢに関連するリンクを使用して１つまたは複数のｅＮＢからＰＤＣＰ  ＰＤＵを受信するための手段と、受信されたＰＤＣＰ  ＰＤＵのシーケンス番号に少なくとも部分的に基づいて１つまたは複数の消失したＰＤＣＰ  ＰＤＵを検出するための手段と、１つまたは複数の消失したＰＤＣＰ  ＰＤＵの検出に基づいてタイマーを開始するための手段と、タイマーの満了に応答して、タイマーの満了の前に１つまたは複数の消失したＰＤＣＰ  ＰＤＵを受信することなしに、１つまたは複数のｅＮＢによる１つまたは複数の消失したＰＤＣＰ  ＰＤＵの送信を防ぐ１つまたは複数のアクションをとるための手段とを含む。
【００１９】
[0019]本装置はまた、ここで、１つまたは複数のアクションをとることが、１つまたは複数のｅＮＢに、１つまたは複数のｅＮＢによる１つまたは複数の消失したＰＤＣＰ  ＰＤＵの送信を防ぐために選択された第１の消失したシーケンスの指示をもつステータスメッセージを送信するための手段を備える、を含むことができる。本装置はまた、ここで、第１の消失したシーケンスの指示が、最も高いシーケンス番号を有するＰＤＣＰ  ＰＤＵのシーケンス番号の指示を備える、を含むことができる。さらに、本装置は、ここで、１つまたは複数のアクションをとるための前記手段が、１つまたは複数のｅＮＢによる１つまたは複数の消失したＰＤＣＰ  ＰＤＵの送信を防ぐために選択されたシーケンス番号を有するＰＤＣＰ  ＰＤＵの受信を肯定応答するステータスメッセージを生成するための手段を備える、を含み得る。また、本装置は、ここで、ステータスメッセージが、受信されたいかなるＰＤＣＰ  ＰＤＵのシーケンス番号よりも高いシーケンス番号を有するＰＤＣＰ  ＰＤＵの受信を肯定応答する、を含み得る。その上、本装置は、ここで、ステータスメッセージを生成するための手段が、受信されたＰＤＣＰ  ＰＤＵのシーケンス番号を決定するために、ＲＬＣレイヤにおいてペイロード検査を実行するための手段を備える、を含み得る。追加として、本装置は、受信状態変数を調整するための手段と、受信されたＰＤＵのシーケンス番号を決定するために、後に、ＲＬＣにおいてペイロード検査を実行するための手段とを含み得る。
【００２０】
[0020]さらなる一例では、各それぞれのｅＮＢに関連するリンクを使用して１つまたは複数のｅＮＢからＰＤＣＰ  ＰＤＵを受信することと、受信されたＰＤＣＰ  ＰＤＵのシーケンス番号に少なくとも部分的に基づいて１つまたは複数の消失したＰＤＣＰ  ＰＤＵを検出することと、１つまたは複数の消失したＰＤＣＰ  ＰＤＵの検出に基づいてタイマーを開始することと、タイマーの満了に応答して、タイマーの満了の前に１つまたは複数の消失したＰＤＣＰ  ＰＤＵを受信することなしに、１つまたは複数のｅＮＢによる１つまたは複数の消失したＰＤＣＰ  ＰＤＵの送信を防ぐ１つまたは複数のアクションをとることとを行うように構成された少なくとも１つのプロセッサを含む、ワイヤレス通信のための装置が提供される。本装置はまた、少なくとも１つのプロセッサに結合されたメモリを含む。
【００２１】
[0021]別の例では、その上に記憶された命令を有するワイヤレス通信のためのコンピュータ可読媒体が提供される。命令は、各それぞれのｅＮＢに関連するリンクを使用して１つまたは複数のｅＮＢからＰＤＣＰ  ＰＤＵを受信することと、受信されたＰＤＣＰ  ＰＤＵのシーケンス番号に少なくとも部分的に基づいて１つまたは複数の消失したＰＤＣＰ  ＰＤＵを検出することと、１つまたは複数の消失したＰＤＣＰ  ＰＤＵの検出に基づいてタイマーを開始することと、タイマーの満了に応答して、タイマーの満了の前に１つまたは複数の消失したＰＤＣＰ  ＰＤＵを受信することなしに、１つまたは複数のｅＮＢによる１つまたは複数の消失したＰＤＣＰ  ＰＤＵの送信を防ぐ１つまたは複数のアクションをとることとを行うために１つまたは複数のプロセッサによって実行可能である。
【００２２】
[0022]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２３】
[0023]本開示の上記で具陳された特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００２４】
【図１】[0024]本開示の態様による、例示的な電気通信システムを概念的に示すブロック図。
【図２】[0025]本開示の態様による、電気通信システムにおける例示的なダウンリンクフレーム構造を概念的に示すブロック図。
【図３】[0026]本開示の態様による、電気通信システムにおける例示的なアップリンクフレーム構造を示す図。
【図４】[0027]本開示の態様による、例示的なｅノードＢおよびユーザ機器（ＵＥ）の設計を概念的に示すブロック図。
【図５】[0028]本開示の態様による、ユーザおよび制御プレーンのための例示的な無線プロトコルアーキテクチャを示す図。
【図６】[0029]本開示の態様による、例示的なサブフレームリソース要素マッピングを示す図。
【図７】[0030]本開示の態様による、例示的な連続キャリアアグリゲーションタイプを示す図。
【図８】[0031]本開示の態様による、例示的な非連続キャリアアグリゲーションタイプを示す図。
【図９】[0032]本開示の態様による、複数のキャリア構成において無線リンクを制御するための例示的な動作を示すブロック図。
【図１０】[0033]本開示の態様による、同時データストリームを配信するためにマルチフローを使用する例示的なデュアル接続性シナリオを示す図。
【図１１】[0034]本開示の態様による、例示的なデュアル接続性シナリオを示す図。
【図１２】[0035]本開示の態様による、ＵＥおよび基地局を含む例示的なシステムを示す図。
【図１３】[0036]本開示の態様による、ＵＥによって実行される例示的な動作を示す図。
【図１４】[0037]本開示の態様による、ＵＥによって実行される例示的な動作を示す図。
【図１５】[0038]第１の消失した（missing）シーケンスを提供することによって、ｅＮＢによる不要な送信を防ぐための例示的な動作を示す図。
【図１６】[0039]ステータスプロトコルデータユニットを提供することによって、ｅＮＢによる不要な送信を防ぐための例示的な動作を示す図。
【発明を実施するための形態】
【００２５】
[0040]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２６】
[0041]本開示の態様は、たとえば、タイマー（たとえば、並べ替えタイマー）が満了したとき、不要なプロトコルデータユニット（ＰＤＵ）送信を回避するための装置、方法、処理システム、およびコンピュータプログラム製品を提供する。たとえば、本明細書でさらに詳細に説明されるように、ユーザ機器（ＵＥ）は、たとえば、受信されたＰＤＵに関連するシーケンス番号（ＳＮ）に基づいて、１つまたは複数の消失したＰＤＵを識別し得る。１つまたは複数の消失したＰＤＵを検出すると、ＵＥは、１つまたは複数の消失したＰＤＵのための並べ替えタイマーを初期化し得る。一態様によれば、最初に１つまたは複数の消失したＰＤＵを受信することなしの、並べ替えタイマーの満了時に、ＵＥは、１つまたは複数の消失したＰＤＵの不要な送信を防ぐために１つまたは複数のアクションをとり得る。本明細書で説明される態様は、一般に、ＵＥが、アクセスポイントからＰＤＵ送信を受信し、消失したＰＤＵを検出することに関するが、実質的に任意の受信デバイスが、実質的に任意の送信デバイスからＰＤＵ送信を受信することができる、それに応じて、消失したＰＤＵなどを検出することができる。したがって、たとえば、受信デバイスおよび送信デバイスは、それぞれ、アクセスポイントおよびＵＥ、ピアツーピアモードで通信するＵＥなどであり得る。
【００２７】
[0042]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義されている。
【００２８】
[0043]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標）：Wideband CDMA）およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下でＬＴＥに関して説明され、以下の説明の大部分でＬＴＥ用語が使用される。
【００２９】
[0044]次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００３０】
[0045]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に存在し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体は、処理システム中に存在するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示される記載の機能をどのようにしたら最も良く実装することができるかを、当業者は認識されよう。
【００３１】
[0046]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００３２】
[0047]図１は、本開示の態様が実施され得る、ワイヤレス通信システム１００を示す。たとえば、本明細書で説明されるように、ＵＥ１２０は、ＰＤＵごとにＰＤＵの受信時間（time of receipt）を追跡し（track）得、追跡された時間に少なくとも部分的に基づいて、受信されたＰＤＵを並べ替えるために１つまたは複数のアクションをとり得る。たとえば、ＵＥ１２０は、本明細書でさらに説明されるように、１つまたは複数の受信されたＰＤＵを処理するための、および／あるいは消失したまたは並べ替えられたＰＤＵのためのアクションをとるための、ＰＤＵ処理構成要素１２１２を含み得る。同様に、１つまたは複数の発展型ノードＢ（ｅノードＢ）１１０または他のアクセスポイント（たとえば、ＷｉＦｉホットスポット）は、本明細書でさらに説明されるように、ＰＤＵをＵＥ１２０に通信するためのＰＤＵ通信構成要素１２４２を含み得る。ＵＥ１２０は、デュアル接続（ＤＣ：dual connected）ＵＥ、ここにおいて、ＵＥが、少なくとも２つの異なるｅＮＢによって与えられた無線リソースを消費する、ＰＤＵがＲＡＮレイヤなどにおいてアグリゲートされ得る１つまたは複数のｅＮＢおよび／または他のタイプのアクセスポイントと通信するためにトラフィックアグリゲーション（たとえば、無線アクセスネットワーク（ＲＡＮ）アグリゲーション）を使用するＵＥ、などであり得る。
【００３３】
[0048]図１に示されているシステムは、たとえば、ロングタームエボリューション（ＬＴＥ）ネットワークであり得る。ワイヤレス通信システム１００は、１つまたは複数のｅノードＢ１１０および／または他のネットワークエンティティを含み得る。ｅノードＢは、ＵＥと通信する局であり得、基地局、アクセスポイント、ネットワークエンティティ、ワイヤレスネットワークにおいてアクセスを与えるために通信を受信および／または送信することができる実質的に任意のデバイスなどと呼ばれることもある（may）。ノードＢは、ＵＥと通信する局の別の例である。たとえば、本明細書では概してｅノードＢ１１０が説明されるが、本明細書で説明されるように、実質的に任意のアクセスポイント（たとえばＷｉＦｉホットスポット）またはワイヤレス通信デバイスが、ＰＤＵ通信構成要素１２４２を含むことができる。同様に、本明細書では概してＵＥ１２０が説明されるが、本明細書で説明されるように、実質的に任意のワイヤレス通信デバイスが、ＰＤＵ処理構成要素１２１２を含むことができる。一例では、ｅノードＢ１１０は、追加または代替として、ＵＥ１２０から受信されたＰＤＵを処理するためのＰＤＵ処理構成要素１２１２を含み得、ＵＥ１２０は、追加または代替として、ＰＤＵをｅノードＢ１１０に送信するためのＰＤＵ通信構成要素１２４２を含み得る。
【００３４】
[0049]各ｅノードＢ１１０は、特定の地理的エリアに通信カバレージを与え得る。３ＧＰＰでは、「セル」という用語は、この用語が使用されるコンテキストに応じて、ｅノードＢのカバレージエリアおよび／またはこのカバレージエリアをサービスしているｅノードＢサブシステムを指すことがある。
【００３５】
[0050]ｅノードＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。図１に示されている例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００３６】
[0051]ワイヤレス通信システム１００はまた、中継局を含み得る。中継局は、上流局（たとえば、ｅノードＢまたはＵＥ）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示されている例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００３７】
[0052]ワイヤレス通信システム１００は、異なるタイプのｅノードＢ、たとえば、マクロｅノードＢ、ピコｅノードＢ、フェムトｅノードＢ、リレーなどを含む異種ネットワークであり得る。これらの異なるタイプのｅノードＢは、異なる送信電力レベル、異なるカバレージエリア、およびワイヤレス通信システム１００における干渉に対する異なる影響を有し得る。たとえば、マクロｅノードＢは、高い送信電力レベル（たとえば、２０ワット）を有し得るが、ピコｅノードＢ、フェムトｅノードＢおよびリレーは、より低い送信電力レベル（たとえば、１ワット）を有し得る。
【００３８】
[0053]ワイヤレス通信システム１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明される技法は、同期動作と非同期動作の両方のために使用され得る。
【００３９】
[0054]ネットワークコントローラ１３０は、ｅノードＢのセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００４０】
[0055]ＵＥ１２０（たとえば、１２０ｘ、１２０ｙなど）はワイヤレス通信システム１００全体にわたって分散され得、各ＵＥ１２０は固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥは、マクロｅノードＢ、ピコｅノードＢ、フェムトｅノードＢ、リレーなどと通信することが可能であり得る。図１では、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００４１】
[0056]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００４２】
[0057]図２は、電気通信システム（たとえば、ＬＴＥ）において使用されるダウンリンク（ＤＬ）フレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は１４個のシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４３】
[0058]ＬＴＥでは、ｅノードＢは、ｅノードＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５中で送られ得る。同期信号は、セル検出および収集のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨは、あるシステム情報を搬送し得る。
【００４４】
[0059]ｅノードＢは、図２中の第１のシンボル期間全体において示されているが、各サブフレームの第１のシンボル期間の一部分中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示されている例では、Ｍ＝３である。ｅノードＢは、各サブフレームの最初のＭ個（図２ではＭ＝３）のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２中の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４５】
[0060]ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中でシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００４６】
[0061]各シンボル期間中でいくつかのリソース要素が利用可能であり得る。各リソース要素は、１つのシンボル期間中で１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは１つのシンボル期間中に４つのリソース要素を含み得る。ＰＣＦＩＣＨは、シンボル期間０中で、周波数にわたってほぼ等しく離間され得る、４つのＲＥＧを占有し得る。ＰＨＩＣＨは、１つまたは複数の構成可能なシンボル期間中で、周波数にわたって拡散され得る、３つのＲＥＧを占有し得る。たとえば、ＰＨＩＣＨのための３つのＲＥＧは、すべてシンボル期間０中に属し得るか、またはシンボル期間０、１および２中で拡散され得る。ＰＤＣＣＨは、最初のＭ個のシンボル期間中で、利用可能なＲＥＧから選択され得る、９、１８、３２または６４個のＲＥＧを占有し得る。ＲＥＧのいくつかの組合せのみがＰＤＣＣＨに対して可能にされ得る。
【００４７】
[0062]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅノードＢは、ＵＥが探索することになる組合せのいずれかにおいてＵＥにＰＤＣＣＨを送り得る。
【００４８】
[0063]ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００４９】
[0064]図３は、電気通信システム（たとえば、ＬＴＥ）におけるアップリンク（ＵＬ）フレーム構造の一例を示す図３００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００５０】
[0065]ＵＥは、ｅＮＢに制御情報を送信するために、制御セクション中のリソースブロック３１０ａ、３１０ｂを割り当てられ得る。ＵＥは、ｅＮＢにデータを送信するために、データセクション中のリソースブロック３２０ａ、３２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数にわたってホッピングし得る。
【００５１】
[0066]初期システムアクセスを実行し、物理ランダムアクセスチャネル（ＰＲＡＣＨ：physical random access channel）３３０中でＵＬ同期を達成するために、リソースブロックのセットが使用され得る。ＰＲＡＣＨ３３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００５２】
[0067]図４は、本開示の態様を実装するために使用され得る、図１に示されている基地局／ｅＮＢ１１０およびＵＥ１２０の例示的な構成要素を示す。ＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／またはコントローラ／プロセッサ４８０は、本明細書で説明され、図１２〜図１４に関して示されている動作を実行するために使用され得る。
【００５３】
[0068]図４は、図１中の基地局／ｅノードＢのうちの１つであり得る基地局／ｅノードＢ１１０および図１中のＵＥのうちの１つであり得るＵＥ１２０の設計のブロック図を示す。制限付き関連付けシナリオの場合、基地局１１０は図１中のマクロｅノードＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００５４】
[0069]基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。基地局１１０は、本明細書でさらに説明されるように、ＰＤＵをＵＥ１２０に通信するためのＰＤＵ通信構成要素１２４２を含み得る。ＰＤＵ通信構成要素１２４２はコントローラ／プロセッサ４４０に結合されるものとして示されているが、いくつかの例では、ＰＤＵ通信構成要素１２４２はまた、他のプロセッサ（たとえば、送信プロセッサ４２０、受信プロセッサ４３８など）に結合され、および／または本明細書で説明されるアクションを実行するように１つまたは複数のプロセッサ４２０、４３８、４４０によって実装され得る。
【００５５】
[0070]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４はさらに、受信シンボルを取得するために、（たとえば、ＯＦＤＭなどのために）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８は、検出されたシンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００５６】
[0071]アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。基地局１１０において、ＵＥ１２０からのアップリンク信号は、アンテナ４３４によって受信され、変調器４３２によって処理され、適用可能な場合はＭＩＭＯ検出器４３６によって検出され、ＵＥ１２０によって送られた復号されたデータおよび制御情報を取得するために、受信プロセッサ４３８によってさらに処理され得る。受信プロセッサ４３８は、復号されたデータをデータシンク４３９に与え、復号された制御情報をコントローラ／プロセッサ４４０に与え得る。ＵＥ１２０は、本明細書でさらに説明されるように、１つまたは複数の受信されたＰＤＵを処理するための、および／あるいは消失したまたは並べ替えられたＰＤＵのためのアクションをとるための、ＰＤＵ処理構成要素１２１２を含み得る。ＰＤＵ処理構成要素１２１２はコントローラ／プロセッサ４８０に結合されるものとして示されているが、いくつかの例では、ＰＤＵ処理構成要素１２１２はまた、他のプロセッサ（たとえば、受信プロセッサ４５８、送信プロセッサ４６４など）に結合され、および／または本明細書で説明されるアクションを実行するように１つまたは複数のプロセッサ４５８、４６４、４８０によって実装され得る。
【００５７】
[0072]コントローラ／プロセッサ４４０および４８０は、それぞれ基地局１１０およびＵＥ１２０における動作を指示し得る。ＵＥ１２０におけるプロセッサ４８０および／または他のプロセッサおよびモジュールは、図１２〜図１４に示されている機能ブロック、および／または本明細書で説明される技法のための他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５８】
[0073]一構成では、ＵＥ１２０は、各それぞれのｅＮＢに関連するリンクを使用して１つまたは複数の発展型ノードＢ（ｅＮＢ）からパケットデータコンバージェンスプロトコル（ＰＤＣＰ）プロトコルデータユニット（ＰＤＵ）を受信するための手段と、ＰＤＣＰ  ＰＤＵごとにＵＥによるＰＤＵの受信時間を追跡するための手段と、追跡された時間に少なくとも部分的に基づいて、受信されたＰＤＣＰ  ＰＤＵを並べ替えるために１つまたは複数のアクションをとるための手段とを含む。一態様では、上記で説明された上述の手段および本開示で説明される他の手段は、コントローラ／プロセッサ４８０、メモリ４８２、受信プロセッサ４５８、復調器４５４、およびアンテナ４５２であり得る。別の態様では、上述の手段は、上述の手段によって具陳された機能を実行するように構成されたモジュールまたは任意の装置であり得る。
【００５９】
[0074]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００６０】
[0075]ユーザプレーンでは、Ｌ２レイヤ５０８は、ネットワーク側のｅＮＢにおいて終端される、メディアアクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００６１】
[0076]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまた、ＨＡＲＱ動作を担当する。
【００６２】
[0077]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００６３】
[0078]図６は、ノーマルサイクリックプレフィックスをもつ、ダウンリンクのための２つの例示的なサブフレームフォーマット６１０および６２０を示す。ダウンリンクのための利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中で１つのサブキャリアをカバーし得、実数値または複素数値であり得る１つの変調シンボルを送るために使用され得る。
【００６４】
[0079]サブフレームフォーマット６１０は、２つのアンテナを装備したｅＮＢのために使用され得る。ＣＲＳは、シンボル期間０、４、７および１１中でアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図６では、ラベルＲaをもつ所与のリソース要素について、アンテナａからはそのリソース要素上で変調シンボルが送信され得、他のアンテナからはそのリソース要素上で変調シンボルが送信されないことがある。サブフレームフォーマット６２０は、４つのアンテナを装備したｅＮＢのために使用され得る。ＣＲＳは、シンボル期間０、４、７および１１中でアンテナ０および１から送信され、シンボル期間１および８中でアンテナ２および３から送信され得る。サブフレームフォーマット６１０とサブフレームフォーマット６２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信し得る。サブフレームフォーマット６１０とサブフレームフォーマット６２０の両方について、ＣＲＳのために使用されないリソース要素は、データ（たとえば、トラフィックデータ、制御データ、および／または他のデータ）を送信するために使用され得る。
【００６５】
[0080]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００６６】
[0081]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００６７】
[0082]ワイヤレスネットワークは、ダウンリンクおよびアップリンク上でのデータ送信のためにハイブリッド自動再送（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００６８】
[0083]ＵＥは、複数のｅＮＢのカバレージエリア内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００６９】
[0084]ＬＴＥアドバンストＵＥは、各方向において送信のために使用される最高合計１００ＭＨｚ（５つのコンポーネントキャリア）のキャリアアグリゲーションにおいて割り振られた、最高２０ＭＨｚ帯域幅のスペクトルを使用し得る。ＬＴＥアドバンストモバイルシステムのために、２つのタイプのキャリアアグリゲーション（ＣＡ）方法、すなわち、連続ＣＡおよび非連続ＣＡが提案されている。それらは図７および図８に示されている。連続ＣＡは、複数の利用可能なコンポーネントキャリアが互いに隣接するときに生じる（図７）。一方、非連続ＣＡは、複数の利用可能なコンポーネントキャリアが周波数帯域に沿って分離された（separated）ときに生じる（図８）。非連続ＣＡと連続ＣＡの両方は、ＬＴＥアドバンストＵＥの単一ユニットをサービスするために複数のＬＴＥ／コンポーネントキャリアをアグリゲートする。様々な実施形態によれば、（キャリアアグリゲーションとも呼ばれる）マルチキャリアシステムにおいて動作するＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ：dedicated channel）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。
【００７０】
[0085]図９は、一例による、物理チャネルをグループ化することによって複数キャリアワイヤレス通信システムにおいて無線リンクを制御するための方法９００を示す。図示のように、本方法は、ブロック９０５において、１次キャリアと、１つまたは複数の関連する２次キャリアとを形成するために、少なくとも２つのキャリアからの制御機能を１つのキャリア上にアグリゲートすることを含む。次にブロック９１０において、１次キャリアと各２次キャリアとのための通信リンクを確立する。次いで、ブロック９１５において、１次キャリアに基づいて通信を制御する。
【００７１】
[0086]現在、ＵＥは１つのｅノードＢからデータを受信する。しかしながら、セルエッジ上のユーザは、データレートを制限することがある高いセル間干渉を経験し得る。マルチフローは、ユーザが同時に２つのｅノードＢからデータを受信することを可能にする。マルチフローは、ＵＥが同時に２つの隣接するセル中の２つのセルタワーの範囲内にあるとき、２つのまったく別個のストリーム中で２つのｅノードＢからのデータを送信および受信することによって動作する。ＵＥは、デバイスがいずれかのタワーの到達範囲（either towers’ reach）のエッジ上にあるとき、同時に２つのタワーと通話する（図１０参照）。同時に２つの異なるノードＢからモバイルデバイスに２つの独立データストリームをスケジュールすることによって、マルチフローは、ネットワークにおける不均一なローディングを活用する。これは、ネットワーク容量を増加させながら、セルエッジユーザエクスペリエンスを改善するのに役立つ。一例では、セルエッジにおけるユーザのためのスループットデータ速度が倍になり得る。「マルチフロー」は、デュアルキャリア高速パケットアクセス（ＨＳＰＡ）と同様であるが、相違がある。たとえば、デュアルキャリアＨＳＰＡは、デバイスに同時に接続するための複数のタワーへの接続性を可能にしない。
【００７２】
[0087]（マルチフローまたは多重接続性としても知られる）デュアル接続性（ＤＣ）は、セルラー産業において利益を有し得る。本明細書で言及されるＤＣはまた、多重接続性（たとえば、３つ以上のリンクとの接続性）を包含する（encompass）ことができる。セルエッジ上のユーザは、ユーザのデータレートを制限することがある高いセル間干渉を経験し得る。デュアル接続性／多重接続性ソリューションは、ＵＥが、２つのｅＮＢ、すなわち、コロケートされず、理想的でないバックホール（たとえば、バックホール１１２０）を介して接続され得る１つまたは複数の２次ｅＮＢ（ＳｅＮＢ）およびマスタｅＮＢ（ＭｅＮＢ）に同時に接続することを可能にする。ＤＣは、ＵＥが同時に２つまたはそれ以上の隣接するセル中の２つまたはそれ以上のセルタワーの範囲内にあるとき、２つの別個のストリーム中で２つのｅノードＢからのデータを送信および受信することによって動作する。ＵＥは、デバイスがいずれかのタワーの到達範囲のエッジ上にあるとき、同時に２つまたはそれ以上のタワーと通話する（図１１参照）。したがって、異なるｅＮＢは、異なるスケジューラなどを使用し得る。追加または代替の例では、異なるｅＮＢのうちの１つまたは複数は、トラフィックアグリゲーション（たとえば、ＲＡＮアグリゲーション）が、ＲＡＮレイヤにおいてアクセスポイントおよび別のアクセスポイントまたはｅＮＢとのリンクを介して通信されたデータをアグリゲートするために与えられ得る別のタイプのアクセスポイント（たとえば、ＷｉＦｉホットスポット）であり得る。たとえば、ＵＥ１２０は、本明細書でさらに説明されるように、１つまたは複数の受信されたＰＤＵを処理するための、および／あるいは消失したまたは並べ替えられたＰＤＵのためのアクションをとるための、ＰＤＵ処理構成要素１２１２を含み得る。同様に、１つまたは複数の発展型ノードＢ（ｅノードＢ）１１０２、１１０４または他のアクセスポイント（たとえば、ＷｉＦｉホットスポット）は、本明細書でさらに説明されるように、ＰＤＵをＵＥ１２０に通信するためのＰＤＵ通信構成要素１２４２を含み得る。
【００７３】
[0088]図１１に示されているように、ＵＥ１２０は、マクロセル１１０２とスモールセル１１０４とに二重に接続され（およびまたは追加のセル／アクセスポイントと多重接続され）得、ｅＮＢは、理想的でないバックホール１１２０を介して接続され、異なるキャリア周波数上で動作し得る。キャリアアグリゲーションでは、ＬＴＥアドバンストのＵＥの単一ユニットをサービスするために、複数のＬＴＥ／コンポーネントキャリアがアグリゲートされる。同時に２つまたはそれ以上の異なるノードＢ（または他のタイプのアクセスポイント）からモバイルデバイスに２つまたはそれ以上の独立データストリームをスケジュールすることによって、デュアル接続性／多重接続性は、不均一な（uneven）ローディングを活用する（exploits）。これは、ネットワーク容量を増加させながら、セルエッジユーザエクスペリエンスを改善するのに役立つ。一例では、セルエッジにおけるユーザのためのスループットデータ速度が倍またはそれ以上になり得る。
【００７４】
[0089]いくつかの態様では、（別個のｅＮＢが理想的でないバックホールを介して接続された）この展開シナリオの分散性質により、ｅＮＢ（ＭｅＮＢおよびＳｅＮＢ）のための別個のアップリンク制御チャネルが、ｅＮＢにわたる分散スケジューリングおよび独立ＭＡＣ（媒体アクセス制御）動作をサポートするために使用される。これは、単一のＭＡＣ／スケジューリングエンティティがすべてのキャリアにわたって動作し、単一のアップリンク制御チャネルが使用されるＣＡ（キャリアアグリゲーション）展開とは異なる。
【００７５】
[0090]現在のＬＴＥ仕様では、１次セル（ＭｅＮＢのＰＣｅｌｌ）は、アップリンク制御チャネル、たとえば、ＰＵＣＣＨを搬送するセルである。デュアル接続性の場合、ＳｅＮＢのためのアップリンク制御チャネルをサポートするために、ＳｅＮＢ上の特殊セルが導入され得る。また、デュアル接続性／多重接続性では、ＭｅＮＢおよびＳｅＮＢのためのアップリンク制御チャネルが、各ｅＮＢについて１つ使用され得る。ＳｅＮＢのためのアップリンク制御チャネルの存在は、ＳｅＮＢ無線リンク監視（Ｓ−ＲＬＭ：SeNB Radio Link Monitoring）プロシージャのための使用を誘導する（motivates）。このプロシージャは、ＳｅＮＢ無線リンク障害（Ｓ−ＲＬＦ：SeNB Radio Link Failure）をトリガするためにＵＥによって使用され得る。Ｓ−ＲＬＦは、特に（among other things）、ＵＥがＳｅＮＢへのダウンリンク接続を失ったとき、ＵＥがアップリンク制御チャネルを妨害するのを防ぐプロシージャをトリガするために有用である。特殊ＲＬＦプロシージャがＳｅＮＢのために使用され得る別の理由は、ＭｅＮＢがＳｅＮＢとは異なるチャネル状態を経験し得ることである。
【００７６】
[0091]いくつかの態様では、レガシーＲＬＦプロシージャとは異なり、Ｓ−ＲＬＦは、ＭｅＮＢへの接続が存続する（remains）ので、ＲＲＣ接続の損失を伴わない。したがって、（ＲＲＣ接続再確立などの）いくつかのＣプレーンプロシージャは、Ｓ−ＲＬＦの下で適用可能でないことがある。
【００７７】
[0092]図１１を参照しながら説明されるように、ＤＣ、多重接続性、または他のタイプのトラフィック／ＲＡＮアグリゲーションを使用するＵＥは、同期されないことがあるかまたは場合によっては緊密な（tight）タイミングおよび／またはスケジューリング協調を有し得る、少なくとも２つの異なるネットワークポイント（たとえば、マスタ（ＭｅＮＢ）および２次（ＳｅＮＢ）など、２つのｅＮＢ）によって与えられる無線リソースを消費し得る。ＬＴＥでは、（たとえば、ＰＤＣＰレイヤにおける）ＰＤＵ並べ替え機能に専用の無線ベアラごとに並べ替えタイマーが与えられ得、ここで、並べ替えタイマーの満了に基づいて、並べ替えタイマーが開始されるＰＤＵに関係するサービスデータユニット（ＳＤＵ）が、ＰＤＣＰレイヤにフラッシュされ得る。特定の無線ベアラのために単一の並べ替えタイマーを有することは、ＰＤＣＰ並べ替えのための簡単な（straightforward）実装形態を有利に可能にし得る。
【００７８】
[0093]ＰＤＵが順が狂って（out of order）受信され、シーケンス番号に基づいて後で並べ替えられ得る、ＰＤＣＰ並べ替えは、ＵＥが、緊密なタイミングまたはスケジューリング協調なしに２つまたはそれ以上の異なるｅＮＢと通信することを可能にし得る。ＰＤＣＰ並べ替えは、ＬＴＥとＷｉ−Ｆｉ／５Ｇワイヤレス技術システムとの間のさらなるアグリゲーションの一部であり得る。ＰＤＣＰレイヤは、ｉ）それらの対応する復元（decompression）とともにＩＰパケットのヘッダ圧縮、ｉｉ）正しい（correct）ソースが制御情報を送ることを保証するのを助ける完全性検証および保護、ｉｉｉ）ユーザプレーンデータと制御プレーンデータの両方を暗号化および解読することなど、いくつかの機能を実行する、また、ＰＤＣＰレイヤは、ＲＲＣメッセージを送るために使用され得る。ＵＬ方向では、ＰＤＣＰ  ＳＤＵは、ＲＲＣおよび非アクセス層（ＮＡＳ）から受信され、暗号化され、ＲＬＣレイヤに送られ得る。ダウンリンク方向では、ＰＤＣＰレイヤはまた、順序配信（in-order delivery）を扱うことができ、重複パケットを検出する。さらに、ハンドオーバに関してデータが紛失されていないことを保証するために、配信されていないパケットは、ＰＤＣＰレイヤによって新しいｅＮＢにフォワーディングされる。アップリンク方向では、完了されたものとして下位レイヤによって示されていないすべてのパケットは、ハンドオーバが発生したとき、ＨＡＲＱバッファが下位レイヤによってフラッシュされ得るので、ＰＤＣＰレイヤによって再送信され得る。
【００７９】
[0094]ＵＥのＰＤＣＰレイヤは、ＵＥとデュアル接続または多重接続される２つまたはそれ以上の異なるｅＮＢ（または他のアクセスポイント）に関連する２つまたはそれ以上の異なるリンク上で受信されたＰＤＣＰ  ＰＤＵを並べ替え得る。並べ替えは、たとえば、受信されたＰＤＣＰ  ＰＤＵに関連するシーケンス番号（ＳＮ）に基づき得る。さらに、各リンクでは、ＲＬＣレイヤまたはＰＤＣＰレイヤの下の他のレイヤ（たとえば、図５の５１２および５１４参照）によって実行される並べ替えがあり得る。
【００８０】
[0095]しかしながら、いくつかの場合には、２つのｅＮＢ／アクセスポイントは常に時間的に同期されているとは限らず、および／または、ｅＮＢ／アクセスポイントの各々に関連するリンクは、異なる遅延を経験し得る。２つのｅＮＢ／アクセスポイントのリンクが異なる遅延を経験する一例では、１つのｅＮＢ／アクセスポイントからのＰＤＵは、ＰＤＣＰレイヤにおいて順が狂って到着し得る。
【００８１】
[0096]たとえば、図１１を参照すると、ＵＥ１２０は、本明細書でさらに説明されるように、１つまたは複数の受信されたＰＤＵを処理するための、および／あるいは消失したまたは並べ替えられたＰＤＵのためのアクションをとるための、ＰＤＵ処理構成要素１２１２を含み得る。同様に、マクロセル１１０２、スモールセル１１０４など、１つまたは複数の発展型ノードＢ（ｅノードＢ）または他のアクセスポイント（たとえば、Ｗｉ−Ｆｉホットスポット）は、本明細書でさらに説明されるように、ＰＤＵをＵＥ１２０に通信するためのＰＤＵ通信構成要素１２４２を含み得る。一例では、ＵＥ１２０は、時間Ｔ１においてマクロセル１１０２からＳＮ１〜５をもつＰＤＵを受信し得る。時間Ｔ２において、ＵＥ１２０は、次いで、最初にスモールセル１１０４（または別のセル）からＳＮ６〜９をもつＰＤＵを受信することなしに、マクロセル１１０２からＳＮ１０〜１５をもつＰＤＵを受信し得る。したがって、時間Ｔ２において受信されたＳＮ１０〜１５をもつＰＤＵは、順が狂っており、ＳＮ６〜９をもつＰＤＵは消失していると見なされ得る。
【００８２】
[0097]ＰＤＵが順が狂って受信されたとき、ＵＥは、順序から消失したＰＤＵ（たとえば、上記の例では、スモールセル１１０４または別のセルから受信されるべきＳＮ６〜９をもつＰＤＵ）を待つために並べ替えタイマーを開始し得る。消失したＰＤＵが並べ替えタイマーの満了の前に受信された場合、ＵＥのＰＤＣＰレイヤは、昇順で上位レイヤまでの受信されたＳＤＵ／ＰＤＵをフラッシュし得る。一例では、同様の並べ替えタイマー、ＳＤＵ／ＰＤＵフラッシングなど、概念は、ＰＤＵが他のレイヤにおいて複数のｅＮＢ／アクセスポイントから受信された（たとえば、ＰＤＣＰ  ＳＤＵから構成された、ＰＤＵが伝送制御プロトコル（ＴＣＰ）レイヤにおいて受信された）場合、適用され得る。
【００８３】
[0098]しかしながら、ｅＮＢにおける不十分なリンク品質またはオーバーローディングにより、消失したＰＤＵが並べ替えタイマーの満了の前に受信されない場合、ＰＤＣＰレイヤは、Ｒｅｏｒｄｅｒｉｎｇ＿ＰＤＣＰ＿ＲＸ＿ＣＯＵＮＴに関連するＰＤＵおよびＰＤＵに関係する任意の後続の連続的に受信されたＳＤＵまでのすべてのＰＤＣＰ  ＳＤＵ（たとえば、ＲＬＣ  ＰＤＵ）を昇順で上位レイヤにフラッシュすることができる。並べ替えタイマーが満了すると、ＰＤＣＰレイヤは、消失したＰＤＵを「断念（give up）」し、それがここまで受信したものを上位レイヤに配信し、上位レイヤに消失したパケットを扱わせることができる。いくつかの場合には、並べ替えタイマーは、他のｅＮＢからのリンクを介して来るパケットが、オーバーローディングまたは他の望ましくないリンク状態により遅延され得るので満了し得る。別のシナリオでは、ｅＮＢとＵＥとの間のリンクが不良である場合、様々な再送信が、パケットを完全に配信する試みにおいて使用され、したがって、遅延を引き起こし得る。ＴＣＰの場合、受信機は重複ＡＣＫを生成し得る。さらに、ＳＤＵは、昇順でｅＮＢによって送信され得る。たとえば、ＵＥがシーケンス番号ＮのＰＤＣＰ  ＰＤＵを受信した場合、ＵＥは、シーケンス番号ＮのＰＤＣＰ  ＰＤＵの前に受信されていない場合、シーケンス番号＜ＮのＰＤＣＰ  ＰＤＵを受信しないことがある。
【００８４】
[0099]デュアル接続性（または多重接続性）において使用され得る肯定応答モード（ＡＭ）では、ＵＥ  ＰＤＣＰレイヤが断念していることがある消失したＰＤＵは、ｅＮＢによって依然として送信（たとえば、再送信）され得、その結果、後に受信されると、ＵＥによって廃棄されるにすぎない。ｅＮＢは、ｅＮＢが消失したＰＤＵのためのＡＣＫを（ＵＥのうちの１つから）受信するまで、消失したＰＤＵを送り続け得る。さらに、ＡＭの場合、ＡＣＫは、パケットを受信したことに基づいて送られ得、ＮＡＫは、パケットが受信されないことを検出したことに基づいて送られ得る。
【００８５】
[00100]図１１に関する一例では、１００ｍｓ  ＰＤＣＰ並べ替えタイマーを仮定すると、時間Ｔにおいて、ＵＥ１２０は、マクロセル１１０２から、キャリア１上で順序が正しくＳＮ＝０、１、２、３、４、５をもつＰＤＵを受信し得る。ＵＥのＰＤＣＰレイヤは、その後、上位レイヤ（たとえば、ＴＣＰ／ＩＰレイヤ、ユーザデータグラムプロトコル（ＵＤＰ）レイヤなど）に、対応するＳＤＵを配信し得る。
【００８６】
[00101]時間Ｔ＋１ｍｓにおいて、ＵＥ１２０は、マクロセル１１０２から、キャリア１上でＳＮ＝１０、１１、１２、１３、１４、１５をもつＰＤＵを受信し得る。しかしながら、ＵＥ１２０は、この時までに、ＳＮ＝６、７、８、９をもつＰＤＵを受信していないことがある。たとえば、ＵＥ１２０は、キャリア２上でスモールセル１１０４（あるいはＤＣまたはトラフィック／ＲＡＮアグリゲーションにおける他のｅＮＢ／アクセスポイント）からこれらのＰＤＵを受信していないことがある。たとえば、これは、リンク品質問題、オーバーローディング遅延、あるいはスモールセル１１０４における、またはキャリア２に関係する他の状態に起因する起因し得る。したがって、ＵＥ１２０は、その後、並べ替えタイマーを開始（たとえば、１００ｍｓにおいて設定）し得、Ｒｅｏｒｄｅｒｉｎｇ＿ＰＤＣＰ＿ＲＸ＿ＣＯＵＮＴを１６（すなわち、最後の受信されたＰＤＣＰ  ＰＤＵ  ＳＮ＋１）に設定し得る。
【００８７】
[00102]時間Ｔ＋１０１ｍｓにおいて、ＰＤＵ  ＳＮ＝６、７、８、９は、キャリア２上でスモールセル１１０４から依然として受信されていないことがあり、その結果、Ｔ＋１ｍｓにおいて開始された並べ替えタイマーは満了する。その後、ＰＤＣＰレイヤは、上位後（upper later）にＳＮ＝１０、１１、１２、１３、１４、１５に対応するＰＤＣＰ  ＳＤＵを配信することができる。ＳＮ＝６、７、８、９をもつＰＤＵがスモールセル１１０４からキャリア２上で後に受信されたとき、ＰＤＣＰレイヤは、それらが受信ウィンドウの外部に（すなわち、並べ替えタイマーの満了の後に）あるので、それらを廃棄し得る。
【００８８】
[00103]したがって、一例では、ＳＮ＝６、７、８、９をもつＰＤＵの送信は、必要とされないことがあり、したがって、並べ替えタイマーが満了した後にＰＤＵが到着したので、スモールセル１１０４によってキャリア２上で浪費され得る。これは、一例では、以下の理由で、なお一層顕著であり得る。第１に、キャリア２は、ＵＥにとって望ましくないジオメトリ（たとえば、不良リンク品質）を有し得、これにより、ペイロードを搬送するためにより多くのｅＮＢリソースを消費し（たとえば、ｅＮＢは、何回もペイロードを再送信し得、その結果、ＵＥ１２０によって廃棄されるにすぎない（only to））、無線リンク障害（ＲＬＦ）を潜在的に引き起こし得る。第２に、スモールセル１１０４は、オーバーロードされ、他のＵＥのユーザエクスペリエンスに潜在的に影響を及ぼしている、必要とされないペイロード（たとえば、ＵＥによってただ廃棄されることになるペイロード）を送信していることがある。
【００８９】
[00104]したがって、本開示の態様は、たとえば、並べ替えタイマーが満了したとき、（たとえば、ＰＤＣＰレイヤまたは他のレイヤにおける）不要なＰＤＵ送信を回避するための技法を提供する。すなわち、本開示の態様は、たとえば、並べ替えタイマーが満了した後にＰＤＵが到着したので、ＵＥによって最終的に廃棄され得るＰＤＵの送信を回避するための技法を提供する。
【００９０】
[00105]図１２〜図１６を参照すると、態様は、本明細書で説明されるアクションまたは機能を実行し得る１つまたは複数の構成要素および１つまたは複数の方法に関して示される。一態様では、本明細書で使用される「構成要素」という用語は、システムを構成する部分のうちの１つであり得、ハードウェアまたはソフトウェアまたはそれらの何らかの組合せであり得、他の構成要素に分割され得る。図１３〜図１６において以下で説明される動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは、プロセッサおよびソフトウェア、プロセッサおよびコード、プロセッサおよびメモリなど、説明されるアクションまたは機能を実行することが可能なハードウェア構成要素および／またはソフトウェア構成要素の任意の他の組合せによって実行され得ることを理解されたい。
【００９１】
[00106]図１２は、ワイヤレス通信においてＰＤＵを通信するための例示的なシステム１２００を示す。システム１２００は、下位ネットワークレイヤにおいてＰＤＵを形成するためのＳＤＵであり得るＰＤＵを１つのネットワークレイヤにおいて受信することなどを含み得る、複数のネットワークレイヤにおいて（それは、ｅノードＢ１１０、マクロセル１１０２、スモールセル１１０４、または実質的に任意のアクセスポイントを含み得る）基地局１２０４と通信するＵＥ１２０を含む。一例では、基地局１２０４およびＵＥ１２０は、ダウンリンク信号４０８をそれの上で通信するための１つまたは複数のダウンリンクチャネルを確立していることがあり、ダウンリンク信号４０８は、構成された通信リソース上で基地局１２０４からＵＥ１２０に（たとえば、シグナリングにおいて）制御および／またはデータメッセージを通信するために、（たとえば、トランシーバ１２５６を介して）基地局１２０４によって送信され、（たとえば、トランシーバ１２０６を介して）ＵＥ１２０によって受信され得る。その上、たとえば、基地局１２０４およびＵＥ１２０は、アップリンク信号１２０８を介してそれの上で通信するための１つまたは複数のアップリンクチャネルを確立していることがあり、アップリンク信号１２０８は、構成された通信リソース上でＵＥ１２０から基地局１２０４に（たとえば、シグナリングにおいて）制御および／またはデータメッセージを通信するために、（たとえば、トランシーバ１２０６を介して）ＵＥ１２０によって送信され、（たとえば、トランシーバ１２５６を介して）基地局１２０４によって受信され得る。一例では、ＰＤＵ通信構成要素１２４２は、説明されるように、（たとえば、１つまたは複数のＰＤＵ１２８０が、第２のネットワークレイヤ１２６０の１つまたは複数のＰＤＵにおいて送信され得る）第１のネットワークレイヤ１２４０において、ＵＥ１２０に１つまたは複数のＰＤＵ１２８０を送信することができ、それは、（たとえば、それの１つまたは複数のＰＤＵとしてより下位の第２のネットワークレイヤ１２２０を介して）第１のネットワークレイヤ１２１０によって受信され得る。
【００９２】
[00107]一態様では、ＵＥ１２０は、たとえば、１つまたは複数のバス１２０７を介して通信可能に結合され得る１つまたは複数のプロセッサ１２０３および／またはメモリ１２０５を含み得、１つまたは複数のネットワークレイヤを介して基地局１２０４（または他の送信デバイス）から受信された１つまたは複数のＰＤＵを処理するためのＰＤＵ処理構成要素１２１２とともに動作するか、またはさもなければＰＤＵ処理構成要素１２１２を実装し得る。たとえば、本明細書で説明されるＰＤＵ処理構成要素１２１２に関係する様々な動作は、１つまたは複数のプロセッサ１２０３によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ１２０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ１２０６に関連するトランシーバプロセッサのうちのいずれか１つまたは任意の組合せを含み得る。さらに、たとえば、メモリ１２０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ１２０３によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ１２０５またはコンピュータ可読記憶媒体は、１つまたは複数のプロセッサ１２０３中に存在する、１つまたは複数のプロセッサ１２０３の外部にある、１つまたは複数のプロセッサ１２０３を含む複数のエンティティにわたって分散される、などであり得る。
【００９３】
[00108]特に、１つまたは複数のプロセッサ１２０３および／またはメモリ１２０５は、ＰＵＤ処理構成要素１２１２またはそれの副構成要素によって定義されたアクションまたは動作を実行し得る。たとえば、１つまたは複数のプロセッサ１２０３および／またはメモリ１２０５は、基地局１２０４など、１つまたは複数の基地局または他のアクセスポイントから順が狂って受信されたＰＤＵを並べ替えるためのＰＤＵ並べ替え構成要素１２１４によって定義されたアクションまたは動作を実行し得る。一態様では、たとえば、ＰＤＵ並べ替え構成要素１２１４は、ハードウェア（たとえば、１つまたは複数のプロセッサ１２０３の１つまたは複数のプロセッサモジュール）、および／あるいは、メモリ１２０５に記憶され、本明細書で説明される特別に構成されたＰＤＵ並べ替え動作を実行するために１つまたは複数のプロセッサ１２０３のうちの少なくとも１つによって実行可能なコンピュータ可読コードまたは命令を含み得る。さらに、たとえば、ＰＤＵ並べ替え構成要素１２１４は、シーケンスにおいて他のＰＤＵをその後受信することなしに順が狂って受信されたＰＤＵをいつフラッシュすべきかを決定するための並べ替えタイマー１２１６を含み得る。たとえば、１つまたは複数のプロセッサ１２０３および／またはメモリ１２０５は、別のネットワークレイヤおよび／または１つまたは複数の基地局／アクセスポイントに、１つまたは複数のＰＤＵが受信されたまたは受信されていないことを通知するためのステータス通知構成要素１２１８によって定義されたアクションまたは動作を実行し得る。一態様では、たとえば、ステータス通知構成要素１２１８は、ハードウェア（たとえば、１つまたは複数のプロセッサ１２０３の１つまたは複数のプロセッサモジュール）、および／あるいは、メモリ１２０５に記憶され、本明細書で説明される特別に構成されたステータス通知動作を実行するために１つまたは複数のプロセッサ１２０３のうちの少なくとも１つによって実行可能なコンピュータ可読コードまたは命令を含み得る。
【００９４】
[00109]一例では、１つまたは複数のプロセッサ１２０３および／またはメモリ１２０５は、第１のネットワークレイヤ１２１０におけるＰＤＵ処理構成要素１２１２のアクションまたは動作を実行し得、また、第２のネットワークレイヤ１２２０におけるアクションまたは動作を実行し得る。たとえば、第１のネットワークレイヤ１２１０および第２のネットワークレイヤ１２２０は、各々、図５で説明された１つまたは複数のネットワークレイヤ（たとえば、ＰＤＣＰレイヤ５１４、ＲＬＣレイヤ５１２）、および／またはＴＣＰレイヤ、ＩＰレイヤ、ＴＣＰ／ＩＰレイヤ、ＵＤＰレイヤなど、他のレイヤであり得る。特定の例では、第１のネットワークレイヤ１２１０はＰＤＣＰレイヤであり得、第２のネットワークレイヤ１２２０はＲＬＣレイヤであり得、したがって、第２のネットワークレイヤ１２２０は、第１のネットワークレイヤ１２１０に、１つまたは複数のＰＤＣＰ  ＰＤＵを含むＲＬＣ  ＳＤＵを送ることができ、第１のネットワークレイヤ１２１０は、（たとえば、ＴＣＰ／ＩＰレイヤなど、他のネットワークレイヤに提供するための）ＰＤＣＰ  ＳＤＵを形成することができる。別の特定の例では、第１のネットワークレイヤ１２１０はＴＣＰ／ＩＰレイヤであり得、第２のネットワークレイヤ１２２０はＰＤＣＰレイヤであり得、したがって、第２のネットワークレイヤ１２２０は、第１のネットワークレイヤ１２１０に、１つまたは複数のＴＣＰ／ＩＰ  ＰＤＵを含むＰＤＣＰ  ＳＤＵを送ることができ、第１のネットワークレイヤ１２１０は、（たとえば、そのようなアプリケーションレイヤ、他のネットワークレイヤに提供するための）ＴＣＰ／ＩＰ  ＳＤＵを形成することができる。
【００９５】
[00110]別の態様では、１つまたは複数のプロセッサ１２０３および／またはメモリ１２０５は、上位ネットワークレイヤＰＤＵを含む１つまたは複数のＳＤＵを上位ネットワークレイヤ（たとえば、第１のネットワークレイヤ１２１０）に提供するためのＰＤＵ提供構成要素１２２２によって定義されたアクションまたは動作を随意に実行し得る。一態様では、たとえば、ＰＤＵ提供構成要素１２２２は、ハードウェア（たとえば、１つまたは複数のプロセッサ１２０３の１つまたは複数のプロセッサモジュール）、および／あるいは、メモリ１２０５に記憶され、本明細書で説明される特別に構成されたＳＤＵ／ＰＤＵ提供動作を実行するために１つまたは複数のプロセッサ１２０３のうちの少なくとも１つによって実行可能なコンピュータ可読コードまたは命令を含み得る。一態様では、１つまたは複数のプロセッサ１２０３および／またはメモリ１２０５は、第２のネットワークレイヤ１２２０から１つまたは複数のＰＤＵまたはそれの部分を受信することに関して別のネットワークレイヤのステータスを受信および／または処理するためのステータス処理構成要素１２２４によって定義されたアクションまたは動作を随意に実行し得る。一態様では、たとえば、ステータス処理構成要素１２２４は、ハードウェア（たとえば、１つまたは複数のプロセッサ１２０３の１つまたは複数のプロセッサモジュール）、および／あるいは、メモリ１２０５に記憶され、本明細書で説明される特別に構成されたステータス処理動作を実行するために１つまたは複数のプロセッサ１２０３のうちの少なくとも１つによって実行可能なコンピュータ可読コードまたは命令を含み得る。
【００９６】
[00111]同様に、一態様では、基地局１２０４は、たとえば、１つまたは複数のバス１２５７を介して通信可能に結合され得る１つまたは複数のプロセッサ１２５３および／またはメモリ１２５５を含み得、１つまたは複数のＵＥ（たとえば、説明されたように、１つまたは複数のネットワークレイヤを介してＵＥ１２０）に１つまたは複数のＰＤＵを通信する（たとえば、送信する、再送信するなど）ためのＰＤＵ通信構成要素１２４２とともに動作するか、またはさもなければＰＤＵ通信構成要素１２４２を実装し得る。たとえば、ＰＤＵ通信構成要素１２４２に関係する様々な機能は、１つまたは複数のプロセッサ１２５３によって実装されるか、またはさもなければ実行され得、一態様では、単一のプロセッサによって実行され得、他の態様では、上記で説明されたように、機能のうちの異なるものは２つまたはそれ以上の異なるプロセッサの組合せによって実行され得る。一例では、１つまたは複数のプロセッサ１２５３および／またはメモリ１２５５は、ＵＥ１２０の１つまたは複数のプロセッサ１２０３および／またはメモリ１２０５に関して上記の例に記載されているように構成され得ることを諒解されたい。
【００９７】
[00112]一例では、１つまたは複数のプロセッサ１２５３および／またはメモリ１２５５は、ＰＤＵ通信構成要素１２４２またはそれの副構成要素によって定義されたアクションまたは動作を実行し得る。たとえば、１つまたは複数のプロセッサ１２５３および／またはメモリ１２５５は、基地局１２０４から１つまたは複数のＰＤＵを受信することに関係する１つまたは複数のＵＥからのステータスを処理するためのステータス処理構成要素１２４４によって定義されたアクションまたは動作を実行し得る。一態様では、たとえば、ステータス処理構成要素１２４４は、ハードウェア（たとえば、１つまたは複数のプロセッサ１２５３の１つまたは複数のプロセッサモジュール）、および／あるいは、メモリ１２５５に記憶され、本明細書で説明される特別に構成されたステータス処理動作を実行するために１つまたは複数のプロセッサ１２５３のうちの少なくとも１つによって実行可能なコンピュータ可読コードまたは命令を含み得る。
【００９８】
[00113]一例では、１つまたは複数のプロセッサ１２５３および／またはメモリ１２５５は、第１のネットワークレイヤ１２４０におけるＰＤＵ通信構成要素１２４２のアクションまたは動作を実行し得、また、第２のネットワークレイヤ１２６０におけるアクションまたは動作を実行し得る。たとえば、第１のネットワークレイヤ１２４０および第２のネットワークレイヤ１２６０は、各々、図５で説明された１つまたは複数のネットワークレイヤ（たとえば、ＲＬＣレイヤ５１２、ＰＤＣＰレイヤ５１４）、および／またはＴＣＰレイヤ、ＩＰレイヤ、ＴＣＰ／ＩＰレイヤ、ＵＤＰレイヤなど、他のレイヤであり得る。特定の例では、第１のネットワークレイヤ１２４０はＰＤＣＰレイヤであり得、第２のネットワークレイヤ１２６０はＲＬＣレイヤであり得、したがって、第１のネットワークレイヤ１２４０は、ＵＥ１２０に送るためのＲＬＣ  ＰＤＵを形成することができる、ＰＤＣＰ  ＰＤＵを第２のネットワークレイヤ１２６０に提供することができる。別の特定の例では、第１のネットワークレイヤ１２４０はＴＣＰ／ＩＰレイヤであり得、第２のネットワークレイヤ１２６０はＰＤＣＰレイヤであり得、したがって、第１のネットワークレイヤ１２４０は、（たとえば、１つまたは複数の対応するＲＬＣ  ＰＤＵなどとして）ＵＥ１２０に送るためのＰＤＣＰ  ＰＤＵを形成することができる、ＴＣＰ／ＩＰ  ＰＤＵを第２のネットワークレイヤ１２６０に提供することができる。
【００９９】
[00114]別の態様では、１つまたは複数のプロセッサ１２５３および／またはメモリ１２５５は、（たとえば、トランシーバ１２５６を介して）送信するための１つまたは複数のＰＤＵを生成するかまたは場合によっては（otherwise）別のネットワークレイヤ（たとえば、第１のネットワークレイヤ１２４０）から１つまたは複数のＰＤＵを受信するためのＰＤＵ生成構成要素１２６２によって定義されたアクションまたは動作を随意に実行し得る。一態様では、たとえば、ＰＤＵ生成構成要素１２６２は、ハードウェア（たとえば、１つまたは複数のプロセッサ１２５３の１つまたは複数のプロセッサモジュール）、および／あるいはメモリ１２５５に記憶され、本明細書で説明される特別に構成されたＰＤＵ生成動作を実行するために１つまたは複数のプロセッサ１２５３のうちの少なくとも１つによって実行可能なコンピュータ可読コードまたは命令を含み得る。一態様では、１つまたは複数のプロセッサ１２５３および／またはメモリ１２５５は、第２のネットワークレイヤ１２６０から１つまたは複数のＰＤＵまたはそれの部分を受信することに関して別のネットワークレイヤのステータスを受信および／または処理するためのステータス処理構成要素１２６４によって定義されたアクションまたは動作を随意に実行し得る。一態様では、たとえば、ステータス処理構成要素１２６４は、ハードウェア（たとえば、１つまたは複数のプロセッサ１２５３の１つまたは複数のプロセッサモジュール）、および／あるいは、メモリ１２５５に記憶され、本明細書で説明される特別に構成されたステータス処理動作を実行するために１つまたは複数のプロセッサ１２５３のうちの少なくとも１つによって実行可能なコンピュータ可読コードまたは命令を含み得る。
【０１００】
[00115]一例では、トランシーバ１２０６、１２５６は、それぞれ、アンテナ１２０１、１２５１など、１つまたは複数のアンテナ、ＲＦフロントエンドまたは関係する構成要素（たとえば、１つまたは複数の電力増幅器、１つまたは複数の低雑音増幅器、１つまたは複数のフィルタ、１つまたは複数のデジタルアナログ変換器またはアナログデジタル変換器など）、１つまたは複数の送信機、および１つまたは複数の受信機を通して１つまたは複数のワイヤレス信号を送信および受信するように構成され得る。一態様では、トランシーバ１２０６、１２５６は、ＵＥ１２０および／または基地局１２０４がある周波数において通信することができるように、指定された周波数において動作するように同調させられ得る。一態様では、１つまたは複数のＣＣにわたる関係するアップリンク通信チャネルまたはダウンリンク通信チャネル上で、アップリンク信号および／またはダウンリンク信号を通信するために、構成、通信プロトコルなどに基づいて指定された周波数および電力レベルにおいて動作するように、１つまたは複数のプロセッサ１２０３がトランシーバ１２０６を構成し得、および／または１つまたは複数のプロセッサ１２５３がトランシーバ１２５６を構成し得る。
【０１０１】
[00116]一態様では、トランシーバ１２０６、１２５６は、トランシーバ１２０６、１２５６を使用して送信および受信されるデジタルデータを処理するように、（たとえば、マルチバンドマルチモードモデム、図示せず、を使用して）複数の帯域中で動作することができる。一態様では、トランシーバ１２０６、１２５６は、マルチバンドであり、特定の通信プロトコルのための複数の周波数帯域をサポートするように構成され得る。一態様では、トランシーバ１２０６、１２５６は、複数の動作ネットワークおよび通信プロトコルをサポートするように構成され得る。したがって、たとえば、トランシーバ１２０６、１２５６は、指定されたモデム構成に基づいて信号の送信および／または受信を可能にし得る。
【０１０２】
[00117]図１３は、たとえば、ＰＤＣＰ並べ替えタイマーが満了したとき、不要なＰＤＵ送信を回避するための例示的な動作１３００を示す。動作１３００は、たとえば、ユーザ機器（たとえば、ＵＥ１２０）またはネットワーク通信においてＰＤＵを受信する実質的に任意のデバイスによって実行され得る。
【０１０３】
[00118]動作１３００は、１３０２において、各それぞれの送信ノードに関連するリンクを使用して１つまたは複数の送信ノードからＰＤＵを受信することによって開始する。一態様では、たとえば、１つまたは複数のプロセッサ１２０３、メモリ１２０５および／またはトランシーバ１２０６とともに（in conjunction with）、ＰＤＵ処理構成要素１２１２は、各それぞれの送信ノードに関連するリンクを使用して１つまたは複数の送信ノード（たとえば、基地局１２０４、実質的に任意のアクセスポイントなど）からＰＤＵ１２８０を受信することができる。たとえば、ＰＤＵ処理構成要素１２１２は、第２のネットワークレイヤ１２２０など、別のネットワークレイヤにおいて受信されたＳＤＵに基づいてＰＤＵを受信することができる。一例では、第２のネットワークレイヤ１２２０は、基地局１２０４から（たとえば、下位ネットワークレイヤから）第２のネットワークレイヤのためのＰＤＵを受信し、ＰＤＵからＳＤＵを取得し得、第１のネットワークレイヤ１２１０に第２のネットワークレイヤ１２２０ＳＤＵとしてＰＤＵを（たとえば、ＰＤＵ提供構成要素１２２２を介して）提供することができる。ＰＤＵ処理構成要素１２１２は、この例では、第２のネットワークレイヤ１２２０の受信されたＳＤＵに基づいて第１のネットワークレイヤ１２１０のＰＤＵを形成することができる。
【０１０４】
[00119]動作１３００は、１３０４において、受信されたＰＤＵのシーケンス番号に少なくとも部分的に基づいて１つまたは複数の消失したＰＤＵを検出することを含む。一態様では、たとえば、１つまたは複数のプロセッサ１２０３、メモリ１２０５および／またはトランシーバ１２０６とともに、ＰＤＵ並べ替え構成要素１２１４は、受信されたＰＤＵのシーケンス番号に少なくとも部分的に基づいて１つまたは複数の消失したＰＤＵを検出することができる。たとえば、ＰＤＵ並べ替え構成要素１２１４は、第２の送信ノードから、または場合によっては第２のリンクを介して（図示せず、たとえば、第２のネットワークレイヤ１２２０を介して）１つまたは複数のＰＤＵを受信し得、次いで、第１の送信ノード（たとえば、基地局１２０４）から１つまたは複数の順序が正しい（in order）（または順次次の（sequentially next））ＰＤＵを受信する前に、第２の送信ノードから（たとえば、第２のネットワークレイヤ１２２０を介して）１つまたは複数の追加の順が狂ったＰＤＵを受信し得る。一例では、ＰＤＵ並べ替え構成要素１２１４は、本明細書の様々な例で説明されるように、（たとえば、第２のネットワークレイヤ１２２０から）受信されたＰＤＵのシーケンス番号を評価し、次の予想されるＰＤＵシーケンス番号が後続のシーケンス番号をもつＰＤＵの前に受信されていないことを検出することに基づいてこれを検出し得る。一例では、ＰＤＵ並べ替え構成要素１２１４は、受信されたＰＤＵのシーケンス番号を決定するために、下位ネットワークレイヤ（たとえば、第２のネットワークレイヤ１２２０）ペイロードのペイロード検査（inspection）を実行することができる。
【０１０５】
[00120]動作１３００は、１３０６において、１つまたは複数の消失したＰＤＵの検出に基づいてタイマーを開始することを含む。一態様では、たとえば、１つまたは複数のプロセッサ１２０３、メモリ１２０５および／またはトランシーバ１２０６とともに、ＰＤＵ並べ替え構成要素１２１４は、１つまたは複数の消失したＰＤＵを検出するＰＤＵ並べ替え構成要素１２１４に基づいて、並べ替えタイマー１２１６など、タイマーを開始することができる。たとえば、ＰＤＵ並べ替え構成要素１２１４は、（たとえば、基地局１２０４または他のネットワーク構成要素から受信された構成、ＵＥ１２０に記憶された構成などによって）ＵＥ１２０のために構成された値に並べ替えタイマー１２１６を設定することができる。たとえば、ＰＤＵ並べ替え構成要素１２１４は、順が狂ったＰＤＵが受信されたと決定すると、１００ｍｓに並べ替えタイマー１２１６を設定することができ、並べ替えタイマー１２１６は、１００ｍｓからカウントダウン（または１００ｍｓまでカウント）し得る。しかしながら、説明されたように、ＰＤＵ並べ替え構成要素１２１４が並べ替えタイマー１２１６に対応する消失したＰＤＵの受信を検出した場合、ＰＤＵ並べ替え構成要素１２１４は、並べ替えタイマー１２１６を（たとえば、次の順が狂ったパケットが検出されるまで、その時点において、並べ替えタイマー１２１６は、特定の一例では１００ｍｓなど、構成された値に初期化され得る）停止し得る。
【０１０６】
[00121]動作１３００は、１３０８において、タイマーの満了に応答して、およびタイマーの満了の前に１つまたは複数の消失したＰＤＵを受信することなしに、１つまたは複数の消失したＰＤＵが受信されたことを下位ネットワークレイヤに通知することを含み得る。一態様では、たとえば、１つまたは複数のプロセッサ１２０３、メモリ１２０５および／またはトランシーバ１２０６とともに、ステータス通知構成要素１２１８は、タイマー（たとえば、並べ替えタイマー１２１６）の満了に応答して、およびタイマーの満了の前に１つまたは複数の消失したＰＤＵを受信することなしに、１つまたは複数の消失したＰＤＵが受信されたことを、下位ネットワークレイヤ（たとえば、第２のネットワークレイヤ１２２０および／または第２のネットワークレイヤ１２２０を介して基地局１２０４における下位ネットワークレイヤ）に通知することができる。これは、第２のネットワークレイヤ１２２０が、消失したＰＤＵを受信することを試みるかまたは場合によっては第１のネットワークレイヤ１２１０に消失したＰＤＵをフォワーディングするのを防ぐことができる。別の例では、これは、送信ノードが、上位ネットワークレイヤ（たとえば、第１のネットワークレイヤ１２４０）の１つまたは複数の消失したＰＤＵに対応する下位ネットワークレイヤ（たとえば、第２のネットワークレイヤ１２６０）から１つまたは複数のＰＤＵを送信することを試みるのを防ぐことができる。
【０１０７】
[00122]一例では、１３０８において、１つまたは複数の消失したＰＤＵが受信されたことを通知することは、１３１０において、下位ネットワークレイヤに１つまたは複数の消失したＰＤＵの受信を肯定応答することを随意に含み得る。一態様では、たとえば、１つまたは複数のプロセッサ１２０３、メモリ１２０５および／またはトランシーバ１２０６とともに、ステータス通知構成要素１２１８は、下位ネットワークレイヤに１つまたは複数の消失したＰＤＵの受信を肯定応答することができる。一例では、ステータス通知構成要素１２１８は、ＰＤＵが受信されていないが、１つまたは複数の消失したＰＤＵの受信を肯定応答し得る。この例では、第２のネットワークレイヤ１２２０は、第２のネットワークレイヤ１２２０が、肯定応答に基づいて１つまたは複数の後続のＰＤＵを受信することを試みるために１つまたは複数の消失したＰＤＵから移行するので（as）、１つまたは複数の消失したＰＤＵを受信およびフォワーディングすることを試みることを控え（refrain from）得る。
【０１０８】
[00123]別の例では、１３０８において、１つまたは複数の消失したＰＤＵが受信されたことを通知することは、１３１２において、下位ネットワークレイヤに第１の消失したシーケンス（ＦＭＳ）を示すことを随意に含み得る。一態様では、たとえば、１つまたは複数のプロセッサ１２０３、メモリ１２０５および／またはトランシーバ１２０６とともにステータス通知構成要素１２１８は、下位ネットワークレイヤ（たとえば、第２のネットワークレイヤ１２２０）にＦＭＳを示すことができ、ここで、ＦＭＳは、１だけ増分された最も高いシーケンス番号（たとえば、Ｌａｓｔ＿Ｓｕｂｍｉｔｔｅｄ＿ＰＤＣＰ＿ＲＸ＿ＳＮ＋１）を有する受信されたＰＤＵにおけるＰＤＵのシーケンス番号を示すことができる。この例では、第２のネットワークレイヤ１２２０は、第２のネットワークレイヤ１２２０が、そのシーケンス番号＋１（たとえば、Ｌａｓｔ＿Ｓｕｂｍｉｔｔｅｄ＿ＰＤＣＰ＿ＲＸ＿ＳＮ＋１）を有するＰＤＵを受信することおよび第１のネットワークレイヤ１２１０にそのＰＤＵを提供することを試みるので、１つまたは複数の消失したＰＤＵを受信およびフォワーディングすることを試みることを控え得る。
【０１０９】
[00124]再び１３１０を参照すると、一例では、１つまたは複数の消失したＰＤＵの受信を肯定応答することは、１つまたは複数の消失したＰＤＵがＵＥ１２０によって受信されていないが、下位ネットワークレイヤ（たとえば、第２のネットワークレイヤ１２２０）が、（たとえば、ＦＭＳまでの）１つまたは複数の消失したＰＤＵの受信を肯定応答するために、基地局１２０４に下位ネットワークレイヤステータスメッセージを送信することを含み得る。たとえば、この肯定応答を送信することは、第２のネットワークレイヤ１２６０がＲＬＣレイヤであるＲＬＣステータスＰＤＵ、および第２のネットワークレイヤ１２６０がＰＤＣＰレイヤであるＰＤＣＰステータスＰＤＵなどを送信することを含み得る。この点について送信されたステータスメッセージは、基地局１２０４によるフィストミッションシーケンス（ＦＭＳ）よりも小さい消失した上位ネットワークレイヤ（たとえば、第１のネットワークレイヤ）シーケンス番号に関連する任意の消失した下位ネットワークレイヤＰＤＵの、基地局１２０４による、さらなる送信／再送信試みを防ぎ得る。たとえば、ステータス処理構成要素１２６４は、上位ネットワークレイヤの１つまたは複数の消失したＰＤＵに対応する下位ネットワークレイヤ（たとえば、第２のネットワークレイヤ１２６０）ＰＤＵの受信を肯定応答するステータスメッセージを受信し得、第２のネットワークレイヤ１２６０は、下位ネットワークレイヤＰＤＵを送信することを控えることができ、トランシーバ１２５６によって送信するためにキューから下位ネットワークレイヤＰＤＵを削除することなどができる。
【０１１０】
[00125]また別の例では、本明細書でさらに説明されるように、１３１２において、ＦＭＳを示すことは、ＦＭＳよりも小さいシーケンス番号を有するＰＤＵの受信を示す上位ネットワークレイヤ（たとえば、第１のネットワークレイヤ１２１０）ステータスＰＤＵを送信ノード（たとえば、基地局１２０４）に送信することを含み得る。たとえば、ステータス通知構成要素１２１８は、Ｌａｓｔ＿Ｓｕｂｍｉｔｔｅｄ＿ＰＤＣＰ＿ＲＸ＿ＳＮ＋１を示す上位ネットワークレイヤステータスＰＤＵ（たとえば、ＰＤＣＰステータスＰＤＵ、ＴＣＰ／ＩＰステータスＰＤＵなど）を基地局１２０４に送信し得る）。この例では、ステータス処理構成要素１２４４は、上位ネットワークレイヤステータスＰＤＵを受信することができ、第２のネットワークレイヤ１２６０が、ＦＭＳよりも小さいシーケンス番号を有する上位ネットワークレイヤＰＤＵに対応する下位ネットワークレイヤＰＤＵを送信することを控えることを引き起こす（cause）ことができる。たとえば、第２のネットワークレイヤ１２６０は、送信されるべき１つまたは複数の下位ネットワークレイヤＰＤＵが、ＦＭＳよりも小さいシーケンス番号を有する上位ネットワークレイヤＰＤＵに関係するかどうかを決定することができ、それに応じて、説明されるように、下位ネットワークレイヤＰＤＵを送信／再送信することを控えること、下位ネットワークレイヤＰＤＵを削除またはフラッシュすることなどを行うことができる。さらに、たとえば、ＰＤＵ通信構成要素１２４２は、ＦＭＳ以上（FMS or greater）のシーケンス番号をもつＰＤＵを第２のネットワークレイヤ１２６０に提供することができ、ＰＤＵ生成構成要素１２６２は、トランシーバ１２５６を介してＵＥ１２０に送信するために、第１のネットワークレイヤ１２４０からのＰＤＵから下位ネットワークレイヤＰＤＵを生成することができる。したがって、基地局１２０４は、ＵＥ１２０からステータスＰＤＵを受信したことに基づいて、消失したＰＤＵに対応する下位ネットワークレイヤＰＤＵの送信／再送信をドロップすることができる。
【０１１１】
[00126]図１４は、たとえば、ＰＤＣＰ並べ替えタイマーが満了したとき、不要なＰＤＣＰ  ＰＤＵ送信を回避するための例示的な動作１４００を示す。動作１４００は、たとえば、ユーザ機器（たとえば、ＵＥ１２０）によって実行され得る。
【０１１２】
[00127]動作１４００は、１４０２において、各それぞれのｅＮＢに関連するリンクを使用して１つまたは複数の発展型ノードＢ（ｅＮＢ）からパケットデータコンバージェンスプロトコル（ＰＤＣＰ）プロトコルデータユニット（ＰＤＵ）を受信することによって開始する。一態様では、たとえば、１つまたは複数のプロセッサ１２０３、メモリ１２０５および／またはトランシーバ１２０６とともに、ＰＤＵ処理構成要素１２１２は、各それぞれのｅＮＢに関連するリンクを使用して、基地局１２０４など、１つまたは複数のｅＮＢからＰＤＣＰ  ＰＤＵを受信することができる。１４０４において、ＵＥは、受信されたＰＤＣＰ  ＰＤＵのシーケンス番号に少なくとも部分的に基づいて１つまたは複数の消失したＰＤＣＰ  ＰＤＵを検出する。一態様では、たとえば、１つまたは複数のプロセッサ１２０３、メモリ１２０５および／またはトランシーバ１２０６とともに、ＰＤＵ並べ替え構成要素１２１４は、受信されたＰＤＣＰ  ＰＤＵのシーケンス番号に少なくとも部分的に基づいて１つまたは複数の消失したＰＤＣＰ  ＰＤＵを検出することができる。説明されたように、ＵＥ１２０は、シーケンス番号を決定するために、ペイロード検査を実行することができ、受信されたシーケンス番号のギャップがいつあるか（たとえば、予想されるよりも高いシーケンス番号をもつＰＤＵがいつ受信されたか）を検出することができる。１４０６において、ＵＥは、１つまたは複数の消失したＰＤＣＰ  ＰＤＵの検出に基づいてタイマーを開始する。一態様では、たとえば、１つまたは複数のプロセッサ１２０３、メモリ１２０５および／またはトランシーバ１２０６とともに、ＰＤＵ並べ替え構成要素１２１４は、１つまたは複数の消失したＰＤＣＰ  ＰＤＵの検出に基づいてタイマー（たとえば、並べ替えタイマー１２１６）を開始することができる。
【０１１３】
[00128]１４０８において、タイマーの満了に応答して、タイマーの満了の前に１つまたは複数の消失したＰＤＣＰ  ＰＤＵを受信することなしに、ＵＥは、１つまたは複数のｅＮＢによる１つまたは複数の消失したＰＤＣＰ  ＰＤＵの送信を防ぐ１つまたは複数のアクションをとる。一態様では、たとえば、１つまたは複数のプロセッサ１２０３、メモリ１２０５および／またはトランシーバ１２０６とともに、ステータス通知構成要素１２１８は、タイマーの満了に応答して、タイマーの満了の前に１つまたは複数の消失したＰＤＣＰ  ＰＤＵを受信することなしに、１つまたは複数のｅＮＢによる１つまたは複数の消失したＰＤＣＰ  ＰＤＵの送信を防ぐために１つまたは複数のアクションをとることができる。
【０１１４】
[00129]上述のように、（たとえば、ステータス通知構成要素１２１８を介した）ＵＥは、１つまたは複数の消失したＰＤＣＰ  ＰＤＵの１つまたは複数のｅＮＢによる不要な送信を防ぐために１つまたは複数のアクションをとり得る。たとえば、ＰＤＵが順が狂って送られたとき、ＵＥは並べ替えタイマー１２１６を開始し得る。並べ替えタイマー１２１６の満了および標準の指定された並べ替えタイマー満了処理の実行時に、ＵＥは、Ｌａｓｔ＿Ｓｕｂｍｉｔｔｅｄ＿ＰＤＣＰ＿ＲＸ＿ＳＮ＋１（すなわち、ＵＥによって受信された最後のＰＤＣＰ  ＰＤＵ  ＳＮ＋１）に設定された値をもつＦＭＳの指示を含むステータスＰＤＵ（たとえば、ＰＤＣＰステータスＰＤＵ）を生成し得る。図１１に関して使用された上記の例では、ＦＭＳは１６に設定され得る。一例では、基地局１２０４またはステータスＰＤＵを受信する他の送信ノードは、説明されたように、ＵＥ１２０への送信のために準備された（たとえば、第２のネットワークレイヤ１２６０における）下位ネットワークレイヤＰＤＵを調査し（look into）得、（たとえば、第１のネットワークレイヤ１２４０における）上位ネットワークレイヤＰＤＵがＦＭＳよりも小さいシーケンス番号を有する場合、そのような下位ネットワークレイヤＰＤＵを廃棄し、ＵＥ１２０にこれらのＰＤＵを送信／再送信することを控えることができる。
【０１１５】
[00130]図１５は、ｅＮＢによる不要な送信を防ぐための例示的な動作１５００を示す。ＵＥ側から、１５０２において、ＵＥは、受信されたＰＤＣＰ  ＰＤＵのシーケンス番号に少なくとも部分的に基づいて１つまたは複数の消失したＰＤＣＰ  ＰＤＵを検出する。説明されたように、一態様では、ＰＤＵ並べ替え構成要素１２１４は、消失した（または順が狂った）ＰＤＣＰ  ＰＤＵを検出することができる。さらに、１５０４において、（たとえば、ＰＤＵ並べ替え構成要素１２１４を介した）ＵＥは、１つまたは複数の消失したＰＤＣＰ  ＰＤＵの検出に基づいてタイマー（たとえば、並べ替えタイマー１２１６）を開始することができる。１５０６において、ＵＥは、タイマーの満了に応答して、タイマーの満了の前に１つまたは複数の消失したＰＤＣＰ  ＰＤＵを受信することなしに、ｅＮＢに、第１の消失したＰＤＣＰ  ＰＤＵシーケンスの指示（indication）を提供するＰＤＣＰステータスＰＤＵを送る。説明されたように、一態様では、ＰＤＣＰステータス通知構成要素１２１８は、（たとえば、説明されたように、ＰＤＣＰステータスＰＤＵを送信するかまたは場合によっては対応する下位ネットワークレイヤＰＤＵの受信を肯定応答することによって）ｅＮＢに、第１の消失したＰＤＣＰ  ＰＤＵシーケンスの指示を提供するＰＤＣＰステータスＰＤＵを送ることができ、それは、トランシーバ１２０６を介して基地局１２０４に通信され得る。
【０１１６】
[00131]１５０８において、ＰＤＣＰステータスＰＤＵ中でその指示を受信するｅＮＢ（たとえば、基地局１２０４）は、ＰＤＣＰステータスＰＤＵを見ることによって（by looking at）消失したＲＬＣ  ＰＤＵを送信することを回避し、ＲＬＣ  ＰＤＵ中のＰＤＣＰ  ＰＤＵがＦＭＳよりも小さいＰＤＣＰ  ＰＤＵシーケンスを有すると決定し、そのようなＲＬＣ  ＰＤＵを廃棄する。特定の一例では、ＰＤＣＰ  ＰＤＵシーケンスは、３ＧＰＰ技術仕様（ＴＳ）３６．３２３によって定義されるように、ＰＤＣＰカウント値の最も低いビットに対応することができる。たとえば、基地局１２０４の第１のネットワークレイヤ１２４０におけるステータス処理構成要素１２４４は、ＵＥ１２０から指示を受信することができ、第２のネットワークレイヤ１２６０は、それに応じて、ＰＤＵ生成構成要素１２６２によって生成され、送信が試みられるかまたは試みられるようにスケジュールされる、ＲＬＣ  ＰＤＵのいずれか中のＰＤＣＰ  ＰＤＵが、ＦＭＳよりも小さいＰＤＣＰ  ＰＤＵシーケンスを有するかどうかを決定することができる。そのような場合、ＰＤＵ生成構成要素１２６２は、それの送信が回避されるように、ＲＬＣ  ＰＤＵを廃棄し得る。したがって、消失したＰＤＣＰ  ＰＤＵの送信／再送信は同様に回避される。その上、たとえば、ＰＤＵ通信構成要素１２４２は、（たとえば、受信されたＦＭＳよりも大きいシーケンス番号をもつ）後続のＰＤＵを生成することができ、ＰＤＵ生成構成要素１２６２は、ＵＥ１２０への送信のために、関係する下位ネットワークレイヤＰＤＵを生成することができる。したがって、たとえば、ＰＤＣＰステータスＰＤＵは、消失したＰＤＣＰ  ＰＤＵまたは順が狂ったＰＤＣＰ  ＰＤＵのさらなる送信／再送信を回避するためのトリガとして働くことができ、次の予想されるＰＤＣＰ  ＰＤＵが何であるかを基地局１２０４に知らせることができ、したがって、基地局１２０４は、ＰＤＣＰ  ＰＤＵ、またはＵＥ１２０においてもはや望まれない関係する下位ネットワークレイヤＰＤＵ（たとえば、ＲＬＣ  ＰＤＵ）を送信することを回避し得る。
【０１１７】
[00132]上記で説明されたように、ＰＤＣＰステータスＰＤＵを受信すると、ｅＮＢは、ＦＭＳよりも低いシーケンス番号をもつＰＤＵ（たとえば、スモールセル１１０４によってキャリア２上で送信されなかったＳＮ＝６、７、８、９をもつＰＤＵ）を送信することを差し控える（forego）ためのオプションを有し得る。説明されたように、たとえば、ＰＤＣＰ並べ替えタイマー１２１６が満了した場合、ステータス通知構成要素１２１８は、ＦＭＳをもつＰＤＣＰステータスＰＤＵを生成し、ＦＭＳをもつＰＤＣＰステータスＰＤＵを基地局１２０４に送信することができる。いくつかの態様によれば、この手法では、ｅＮＢのものは、（たとえば、ステータス処理構成要素１２４４を介して）ＰＤＣＰステータスＰＤＵを受信する。ｅＮＢの第２のネットワークレイヤ１２６０（たとえば、ＲＬＣレイヤ）は、第２のネットワークレイヤ１２６０の送信キューおよび／または再送信キュー中のそれのＳＤＵのＰＤＣＰ  ＳＮ（the PDCP SNs of its SDUs）を見つけ出す（figure out）ためにペイロード検査を実行し得、それに応じて、これらのＳＤＵの送信／再送信を停止する（たとえば、（１つまたは複数の）キューからＳＤＵを削除またはフラッシュする）ことができる。いくつかの例では、ステータス通知構成要素１２１８は、別の基地局、アクセスポイント、関係するセルなどへの、ＵＥ１２０（たとえば、またはそれの１つまたは複数のリンク）のハンドオーバを検出することに基づいて、ＰＤＣＰステータスＰＤＵを生成することができる。別の例では、ステータス通知構成要素１２１８は、無線リンク障害または状態変化、たとえば、デュアル接続性への切り替えを検出することに基づいて、ＰＤＣＰステータスＰＤＵを生成することができる。
【０１１８】
[00133]図１６は、ｅＮＢによる不要な送信を防ぐための他の例示的な動作１６００を示し、ここで、１つまたは複数のアクションをとることは、１６０２において、ＵＥ  ＰＤＣＰレイヤが、ＰＤＣＰ並べ替えタイマー満了を検出することに基づいて、１つまたは複数の消失したＰＤＣＰ  ＰＤＵがＰＤＣＰレイヤによって受信されたことを複数のリンクのそれのＲＬＣレイヤに知らせるために内部メッセージ（an internal message to inform its RLC layers）を送ることを含み得る。一態様では、ステータス通知構成要素１２１８は、ＰＤＣＰ並べ替えタイマー満了（たとえば、並べ替えタイマー１２１６）に基づいて、１つまたは複数の消失したＰＤＣＰ  ＰＤＵがＰＤＣＰレイヤ（たとえば、第１のネットワークレイヤ１２１０）によって受信されたことを複数のリンクのそれのＲＬＣレイヤに知らせるために（たとえば、第２のネットワークレイヤ１２２０に）内部メッセージ（an internal message (e.g., to second network layer 1220) to inform its RLC layers）を送ることができる。ＰＤＣＰ  ＰＤＵは、対応する並べ替えタイマーの満了に基づいて、ＵＥ１２０によってもはや必要とされないかまたは希望され（wanted）ないことがある。したがって、ＲＬＣレイヤは、１つまたは複数の消失したＰＤＵを含むＲＬＣ  ＰＤＵを受信することを試みることを控え得、および／または、それに応じて、基地局１２０４から第２のネットワークレイヤＰＤＵを受信するために、ＰＤＵ提供構成要素１２２２によって使用される受信状態変数ＶＲ（ｒ）を調整することができる。
【０１１９】
[00134]さらに、１６０４において、ＵＥは、受信されたＲＬＣ  ＰＤＵ中のＰＤＣＰ  ＰＤＵのＰＤＣＰシーケンス番号を決定するために、ＲＬＣレイヤにおいてペイロード検査を実行することができる。一態様では、ＰＤＵ提供構成要素１２２２は、（たとえば、基地局１２０４から受信されるような）受信されたＲＬＣ  ＰＤＵ中のＰＤＣＰ  ＰＤＵのＰＤＣＰシーケンス番号を決定するために、ＲＬＣレイヤ（たとえば、第２のネットワークレイヤ１２２０）においてペイロード検査を実行することができる。
【０１２０】
[00135]その上、たとえば、１６０６において、ＵＥは、ｅＮＢが肯定応答されたＲＬＣ  ＰＤＵの再送信を試みないように、これらの肯定応答されたＰＤＣＰ  ＰＤＵの全部または一部に対応するＲＬＣ  ＰＤＵを肯定応答するために、ＲＬＣステータスＰＤＵを送ることができる。一態様では、ステータス通知構成要素１２１８は、ｅＮＢ（たとえば、基地局１２０４）がこれらの肯定応答されたＲＬＣ  ＰＤＵの送信または再送信を試みないように、肯定応答されたＰＤＣＰ  ＰＤＵ（または他の第１のネットワークレイヤ１２１０  ＰＤＵ）の全部または一部に対応するＲＬＣ  ＰＤＵ（または他の第２のネットワークレイヤ１２２０  ＰＤＵ）を肯定応答するために、ＲＬＣステータスＰＤＵを送ることができる。
【０１２１】
[00136]さらに、たとえば、１６０８において、ｅＮＢは、ＵＥからＲＬＣステータスＰＤＵを受信することができ、消失したＰＤＣＰ  ＰＤＵを搬送するＲＬＣ  ＰＤＵを送信または再送信することを差し控え得る。一態様では、ステータス処理構成要素１２６４は、ＵＥ１２０からＲＬＣステータスＰＤＵを受信することができ、ＰＤＵ生成構成要素１２６２は、消失したＰＤＣＰ  ＰＤＵを場合によっては搬送し（たとえば、または消失したＰＤＣＰ  ＰＤＵに関連し）得る、肯定応答されたＲＬＣ  ＰＤＵを送信または再送信（または生成）することを差し控え得る。
【０１２２】
[00137]たとえば、上記の例を仮定すれば、ＰＤＣＰ並べ替えタイマーが満了したとき、図１１のキャリア２に関連するＲＬＣエンティティ／インスタンスは、ＳＮ＝９をもつＰＤＣＰ  ＰＤＵを搬送するＳＮ＝２０をもつＲＬＣ  ＰＤＵを受信しており、すべてのＰＤＣＰ  ＳＮ＝０、１、２、．．．、８が消失しており、おそらく、ｅＮＢ（たとえば、スモールセル１１０４）ＲＬＣ送信エンティティによって再送信され得る。いくつかの態様によれば、この手法では、ＵＥのＲＬＣレイヤは、１６０４において、それのＳＤＵのＰＤＣＰ  ＳＮ（the PDCP SNs of its SDUs）を見つけ出すためにペイロード検査を実行し得る。この場合、キャリア２に関連する（たとえば、ステータス処理構成要素１２２４を介した）ＵＥ  ＲＬＣエンティティは、不要なＲＬＣ  ＰＤＵ送信または再送信が回避され得るように、肯定応答（ＡＣＫ）＿ＳＮ＝２１をもつＲＬＣステータスＰＤＵを生成し、ｅＮＢ（たとえば、スモールセル１１０４）に送信し得る。たとえば、ＡＣＫ＿ＳＮ＝２１をもつＲＬＣステータスＰＤＵが（たとえば、スモールセル１１０４のステータス処理構成要素１２６４を介して）ｅＮＢにおいて受信されたとき、ｅＮＢは、それに応じて、２０までのＲＬＣ  ＳＮをもつすべてのＲＬＣ  ＰＤＵがＵＥによって正常に（successfully）受信されたと決定し、したがって、その結果、ｅＮＢは、実際には、これらのＲＬＣ  ＰＤＵがＵＥ１２０において正常に受信されていないことがあるが、これらの消失したおよび必要とされないＲＬＣ  ＰＤＵを送信または再送信しないことがある。
【０１２３】
[00138]本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１２４】
[00139]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２５】
[00140]本明細書で使用される「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１２６】
[00141]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【０１２７】
[00142]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１２８】
[00143]いくつかの態様によれば、そのような手段は、上記で説明された（たとえば、ハードウェアでまたはソフトウェア命令を実行することによって）様々なアルゴリズムを実装することによって、対応する機能を実行するように構成された処理システムによって実装され得る。たとえば、ＵＥの最大利用可能送信電力を決定するためのアルゴリズム、第１の基地局へのアップリンク送信のために利用可能な第１の最小保証電力および第２の基地局へのアップリンク送信のために利用可能な第２の最小保証電力を半静的に構成するためのアルゴリズム、ならびにＵＥの最大利用可能送信電力、第１の最小保証電力、および第２の最小保証電力に少なくとも部分的に基づいて、第１の基地局へのアップリンク送信のために利用可能な第１の最大送信電力および第２の基地局へのアップリンク送信のために利用可能な第２の最大送信電力を動的に決定するためのアルゴリズム。
【０１２９】
[00144]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１３０】
[00145]ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ＵＥ１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。当業者は、特定の適用例と、全体的なシステムに課される全体的な設計制約とに応じて、どのようにしたら処理システムについて説明された機能を最も良く実装し得るかを理解されよう。
【０１３１】
[00146]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【０１３２】
[00147]ソフトウェアモジュールは、単一の命令、または多数の命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１３３】
[00148]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１３４】
[00149]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、ＵＥの最大利用可能送信電力を決定するための命令、第１の基地局へのアップリンク送信のために利用可能な第１の最小保証電力および第２の基地局へのアップリンク送信のために利用可能な第２の最小保証電力を半静的に構成するための命令、ならびにＵＥの最大利用可能送信電力、第１の最小保証電力、および第２の最小保証電力に少なくとも部分的に基づいて、第１の基地局へのアップリンク送信のために利用可能な第１の最大送信電力および第２の基地局へのアップリンク送信のために利用可能な第２の最大送信電力を動的に決定するための命令。
【０１３５】
[00150]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【０１３６】
[00151]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
受信ノードによるワイヤレス通信のための方法であって、
各それぞれの送信ノードに関連するリンクを使用して１つまたは複数の送信ノードからネットワークレイヤにおいてプロトコルデータユニット（ＰＤＵ）を受信することと、
前記受信されたＰＤＵのシーケンス番号に少なくとも部分的に基づいて１つまたは複数の消失したＰＤＵを検出することと、
前記１つまたは複数の消失したＰＤＵの前記検出に基づいてタイマーを開始することと、
前記タイマーの満了に応答して、および前記タイマーの前記満了の前に前記１つまたは複数の消失したＰＤＵを受信することなしに、前記１つまたは複数の消失したＰＤＵが受信されたことを下位ネットワークレイヤに通知することとを備える、方法。
［Ｃ２］
前記下位ネットワークレイヤに通知することが、前記下位ネットワークレイヤに前記１つまたは複数の消失したＰＤＵの受信を肯定応答することを備える、Ｃ１に記載の方法。
［Ｃ３］
前記下位ネットワークレイヤに通知することは、前記送信ノードが、前記１つまたは複数の消失したＰＤＵに対応する下位ネットワークレイヤＰＤＵを送信するのを防ぐために、下位ネットワークレイヤステータスメッセージを前記送信ノードに送信することを備える、Ｃ１に記載の方法。
［Ｃ４］
前記下位ネットワークレイヤに通知することが、複数の下位ネットワークレイヤに通知することを備え、ここにおいて、前記複数の下位ネットワークレイヤの各々が、各それぞれの送信ノードに関連する前記リンクに対応する、Ｃ１に記載の方法。
［Ｃ５］
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、Ｃ１に記載の方法。
［Ｃ６］
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、Ｃ１に記載の方法。
［Ｃ７］
前記１つまたは複数の送信ノードに、各それぞれの送信ノードに関連する各リンクからデータを受信する前記ネットワークレイヤにおいて形成されたステータスメッセージを送信することをさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、Ｃ１に記載の方法。
［Ｃ８］
受信ノードによるワイヤレス通信のための装置であって、
トランシーバと、
メモリと、
前記トランシーバおよび前記メモリに通信可能に結合された少なくとも１つのプロセッサとを備え、ここにおいて、前記少なくとも１つのプロセッサが、
各それぞれの送信ノードに関連するリンクを使用して１つまたは複数の送信ノードからネットワークレイヤにおいてプロトコルデータユニット（ＰＤＵ）を受信することと、
前記受信されたＰＤＵのシーケンス番号に少なくとも部分的に基づいて１つまたは複数の消失したＰＤＵを検出することと、
前記１つまたは複数の消失したＰＤＵの前記検出に基づいてタイマーを開始することと、
前記タイマーの満了に応答して、および前記タイマーの前記満了の前に前記１つまたは複数の消失したＰＤＵを受信することなしに、前記１つまたは複数の消失したＰＤＵが受信されたことを下位ネットワークレイヤに通知することとを行うように構成された、装置。
［Ｃ９］
前記少なくとも１つのプロセッサが、少なくとも部分的に、前記下位ネットワークレイヤに前記１つまたは複数の消失したＰＤＵの受信を肯定応答することによって、前記下位ネットワークレイヤに通知するように構成された、Ｃ８に記載の装置。
［Ｃ１０］
前記少なくとも１つのプロセッサは、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知するように構成された、Ｃ８に記載の装置。
［Ｃ１１］
前記少なくとも１つのプロセッサが、少なくとも部分的に、複数の下位ネットワークレイヤに通知することによって、前記下位ネットワークレイヤに通知するように構成され、ここにおいて、前記複数の下位ネットワークレイヤの各々が、各それぞれの送信ノードに関連する前記リンクに対応する、Ｃ８に記載の装置。
［Ｃ１２］
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、Ｃ８に記載の装置。
［Ｃ１３］
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、Ｃ８に記載の装置。
［Ｃ１４］
前記少なくとも１つのプロセッサが、前記１つまたは複数の送信ノードに、各それぞれの送信ノードに関連する各リンクからデータを受信する前記ネットワークレイヤにおいて形成されたステータスメッセージを送信するようにさらに構成され、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、Ｃ８に記載の装置。
［Ｃ１５］
前記トランシーバに結合され、前記送信ノードに１つまたは複数のワイヤレス信号を送信すること、または前記送信ノードから１つまたは複数のワイヤレス信号を受信することのうちの少なくとも１つを行うように構成された１つまたは複数のアンテナをさらに備える、Ｃ８に記載の装置。
［Ｃ１６］
ユーザ機器（ＵＥ）によるワイヤレス通信のための装置であって、
各それぞれの送信ノードに関連するリンクを使用して１つまたは複数の送信ノードからネットワークレイヤにおいてプロトコルデータユニット（ＰＤＵ）を受信するための手段と、
前記受信されたＰＤＵのシーケンス番号に少なくとも部分的に基づいて１つまたは複数の消失したＰＤＵを検出するための手段と、
前記１つまたは複数の消失したＰＤＵの前記検出に基づいてタイマーを開始するための手段と、
前記タイマーの満了に応答して、および前記タイマーの前記満了の前に前記１つまたは複数の消失したＰＤＵを受信することなしに、前記１つまたは複数の消失したＰＤＵが受信されたことを下位ネットワークレイヤに通知するための手段とを備える、装置。
［Ｃ１７］
通知するための前記手段が、少なくとも部分的に、前記下位ネットワークレイヤに前記１つまたは複数の消失したＰＤＵの受信を肯定応答することによって、前記下位ネットワークレイヤに通知する、Ｃ１６に記載の装置。
［Ｃ１８］
通知するための前記手段は、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知する、Ｃ１６に記載の装置。
［Ｃ１９］
通知するための前記手段が、少なくとも部分的に、複数の下位ネットワークレイヤに通知することによって、前記下位ネットワークレイヤに通知し、ここにおいて、前記複数の下位ネットワークレイヤの各々が、各それぞれの送信ノードに関連する前記リンクに対応する、Ｃ１６に記載の装置。
［Ｃ２０］
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、Ｃ１６に記載の装置。
［Ｃ２１］
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、Ｃ１６に記載の装置。
［Ｃ２２］
前記１つまたは複数の送信ノードに、各それぞれの送信ノードに関連する各リンクからデータを受信する前記ネットワークレイヤにおいて形成されたステータスメッセージを送信するための手段をさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、Ｃ１６に記載の装置。
［Ｃ２３］
受信するための前記手段が、トランシーバに結合され、前記送信ノードに１つまたは複数のワイヤレス信号を送信すること、または前記送信ノードから１つまたは複数のワイヤレス信号を受信することのうちの少なくとも１つを行うように構成された１つまたは複数のアンテナを備える、Ｃ１６に記載の装置。
［Ｃ２４］
ユーザ機器（ＵＥ）によるワイヤレス通信のためのコンピュータ実行可能コードを記憶するコンピュータ可読媒体であって、前記コードが、
各それぞれの送信ノードに関連するリンクを使用して１つまたは複数の送信ノードからネットワークレイヤにおいてプロトコルデータユニット（ＰＤＵ）を受信するためのコードと、
前記受信されたＰＤＵのシーケンス番号に少なくとも部分的に基づいて１つまたは複数の消失したＰＤＵを検出するためのコードと、
前記１つまたは複数の消失したＰＤＵの前記検出に基づいてタイマーを開始するためのコードと、
前記タイマーの満了に応答して、および前記タイマーの前記満了の前に前記１つまたは複数の消失したＰＤＵを受信することなしに、前記１つまたは複数の消失したＰＤＵが受信されたことを下位ネットワークレイヤに通知するためのコードとを備える、コンピュータ可読媒体。
［Ｃ２５］
通知するための前記コードが、少なくとも部分的に、前記下位ネットワークレイヤに前記１つまたは複数の消失したＰＤＵの受信を肯定応答することによって、前記下位ネットワークレイヤに通知する、Ｃ２４に記載のコンピュータ可読媒体。
［Ｃ２６］
通知するための前記コードは、少なくとも部分的に、前記送信ノードが前記１つまたは複数の消失したＰＤＵに対応する下位ネットワークレイヤＰＤＵを送信するのを防ぐために、下位ネットワークレイヤステータスメッセージを前記送信ノードに送信することによって、前記下位ネットワークレイヤに通知する、Ｃ２４に記載のコンピュータ可読媒体。
［Ｃ２７］
通知するための前記コードが、少なくとも部分的に、複数の下位ネットワークレイヤに通知することによって、前記下位ネットワークレイヤに通知し、ここにおいて、前記複数の下位ネットワークレイヤの各々が、各それぞれの送信ノードに関連する前記リンクに対応する、Ｃ２４に記載のコンピュータ可読媒体。
［Ｃ２８］
前記１つまたは複数の消失したＰＤＵが、パケットデータコンバージェンスプロトコル（ＰＤＣＰ）ＰＤＵであり、ここにおいて、前記下位ネットワークレイヤが、無線リンク制御（ＲＬＣ）レイヤである、Ｃ２４に記載のコンピュータ可読媒体。
［Ｃ２９］
前記１つまたは複数の消失したＰＤＵが、伝送制御プロトコル（ＴＣＰ）、インターネットプロトコル（ＩＰ）、ＴＣＰ／ＩＰ、またはユーザデータグラムプロトコル（ＵＤＰ）ＰＤＵであり、ここにおいて、前記下位ネットワークレイヤが、パケットデータコンバージェンスプロトコル（ＰＤＣＰ）レイヤまたは無線リンク制御（ＲＬＣ）レイヤである、Ｃ２４に記載のコンピュータ可読媒体。
［Ｃ３０］
前記１つまたは複数の送信ノードに、各それぞれの送信ノードに関連する各リンクからデータを受信する前記ネットワークレイヤにおいて形成されたステータスメッセージを送信するためのコードをさらに備え、ここにおいて、前記ステータスメッセージが、第１の消失したシーケンス（ＦＭＳ）の指示を含み、ここにおいて、前記ＦＭＳが、前記１つまたは複数の送信ノードによる前記１つまたは複数の消失したＰＤＵの送信を防ぐために選択される、Ｃ２４に記載のコンピュータ可読媒体。
【図１】
0006453521.tif 000002
【図２】
0006453521.tif 000003
【図３】
0006453521.tif 000004
【図４】
0006453521.tif 000005
【図５】
0006453521.tif 000006
【図６】
0006453521.tif 000007
【図７】
0006453521.tif 000008
【図８】
0006453521.tif 000009
【図９】
0006453521.tif 000010
【図１０】
0006453521.tif 000011
【図１１】
0006453521.tif 000012
【図１２】
0006453521.tif 000013
【図１３】
0006453521.tif 000014
【図１４】
0006453521.tif 000015
【図１５】
0006453521.tif 000016
【図１６】
0006453521.tif 000017